(57)【特許請求の範囲】
【請求項１】
無線リソースの配置方法であって、
チャネル帯域幅内に各サブバンドを配置し、サブキャリア間隔が最小となる複数のサブバンドのうちのいずれか１つのサブバンドを伝送帯域幅構成の最エッジ位置に配置することを含み、
前記チャネル帯域幅内の各サブバンドの電力を配分し、サブキャリア間隔が小さいサブバンドの各サブキャリアほど、小さい電力を配分し、サブキャリア間隔が大きいサブバンドの各サブキャリアほど、大きい電力を配分すること、を含み、
前記チャネル帯域幅内において、各サブバンドの電力はサブバンドの帯域幅に比例する、
無線リソースの配置方法。
【請求項２】
前記チャネル帯域幅内に配置された前記サブバンドのうち、前記チャネル帯域幅の中間位置に最も近いサブバンドのサブキャリア間隔は最も大きい、請求項１に記載の配置方法。
【請求項３】
前記伝送帯域幅構成の最エッジ位置から前記チャネル帯域幅の中間位置までの周波数領域範囲内に、配置された異なるサブバンド内のサブキャリア間隔は単調に増加する、請求項１に記載の配置方法。
【請求項４】
前記伝送帯域幅構成の最エッジ位置から前記チャネル帯域幅の中間位置までの周波数領域範囲内に、配置された全てのサブバンドのうち、サブキャリア間隔が同じである異なるサブバンドの帯域幅は単調に増加する、請求項３に記載の配置方法。
【請求項５】
前記サブバンドは、同じサブキャリア間隔を含む連続する物理時間周波数リソースブロックである、請求項１に記載の配置方法。
【請求項６】
前記チャネル帯域幅は、システムにおける送信ノードキャリアの無線周波数帯域幅であり、
前記伝送帯域幅構成は、前記チャネル帯域幅内の物理時間周波数リソースの周波数領域における総帯域幅であり、
前記チャネル帯域幅内に位置しかつ前記伝送帯域幅構成外に位置する２つのガードバンドは、対称または非対称である、請求項１に記載の配置方法。
【請求項７】
無線リソースの電力の配分方法であって、
チャネル帯域幅内の各サブバンドの電力を配分することであって、サブキャリア間隔が小さいサブバンドの各サブキャリアほど、小さい電力を配分し、サブキャリア間隔が大きいサブバンドの各サブキャリアほど、大きい電力を配分すること、を含み、
前記チャネル帯域幅内において、各サブバンドの電力はサブバンドの帯域幅に比例する、
無線リソースの電力の配分方法。
【請求項８】
ノードであって、
チャネル帯域幅内に各サブバンドを配置するように配置され、且つ、サブキャリア間隔が最小となる複数のサブバンドのうちのいずれか１つのサブバンドを伝送帯域幅構成の最エッジ位置に配置するように配置される第１配置モジュールを備え、
前記第１配置モジュールは、更に、前記チャネル帯域幅内の各サブバンドの電力を配分するように配置され、
更に、サブキャリア間隔が小さいサブバンドの各サブキャリアほど、小さい電力を配分し、サブキャリア間隔が大きいサブバンドの各サブキャリアほど、大きい電力を配分するように配置され、
更に、前記チャネル帯域幅内の各サブバンドの電力を、前記チャネル帯域幅内において、各サブバンドの電力がサブバンドの帯域幅に比例するように配分するように配置される、
ノード。
【請求項９】
前記チャネル帯域幅内に配置された前記サブバンドのうち、前記チャネル帯域幅の中間位置に最も近いサブバンドのサブキャリア間隔は最も大きい、請求項８に記載のノード。
【請求項１０】
前記伝送帯域幅構成の最エッジ位置から前記チャネル帯域幅の中間位置までの周波数領域範囲内に、配置された異なるサブバンド内のサブキャリア間隔は単調に増加する、請求項８に記載のノード。
【請求項１１】
前記伝送帯域幅構成の最エッジ位置から前記チャネル帯域幅の中間位置までの周波数領域範囲内に、配置された全てのサブバンドのうち、サブキャリア間隔が同じである異なるサブバンドの帯域幅は単調に増加する、請求項１０に記載のノード。
【請求項１２】
ノードであって、
チャネル帯域幅内の各サブバンドの電力を配分するように配置される第２配置モジュールであって、サブキャリア間隔が小さいサブバンドの各サブキャリアほど、小さい電力を配分し、サブキャリア間隔が大きいサブバンドの各サブキャリアほど、大きい電力を配分するように配置される第２配置モジュールを備え、
前記第２配置モジュールは、更に、前記チャネル帯域幅内の各サブバンドの電力を、各サブバンドの電力がサブバンドの帯域幅に比例するように配分するように配置される、ノード。
【請求項１３】
ノードであって、
プログラムを記憶するように配置されるメモリと、
実施されると請求項１〜６のいずれか１項に記載の無線リソースの配置方法を実行する前記プログラムを実施するように配置されるプロセッサと、
を備える、ノード。
【請求項１４】
ノードであって、
プログラムを記憶するように配置されるメモリと、
実施されると請求項７に記載の無線リソースの電力の配分方法を実行する前記プログラムを実施するように配置されるプロセッサと、
を備える、ノード。
【請求項１５】
記憶媒体であって、実施されると請求項１〜６のいずれか１項に記載の無線リソースの配置方法を実行する、記憶されたプログラムを備える、記憶媒体。
【請求項１６】
記憶媒体であって、実施されると請求項７に記載の無線リソースの電力の配分方法を実行する、記憶されたプログラムを備える、記憶媒体。
【発明の詳細な説明】
【関連出願の相互参照】
【０００１】
本発明は、出願番号が２０１７１０２７１４６０．１で、出願日が２０１７年０４月２４日である中国特許出願に基づいて提案され、該中国特許出願の優先権を主張し、該中国特許出願の全ての内容を参照として本発明に援用する。
【技術分野】
【０００２】
本発明は、通信技術分野に関し、特に、無線リソース、無線リソースの電力の配分方法、ノード、および記憶媒体に関する。
【背景技術】
【０００３】
無線通信５Ｇ（Ｆｉｆｔｈ  Ｇｅｎｅｒａｔｉｏｎ）技術は、既に各大手企業の研究重点となっている。ここで、ミリ波通信は、５Ｇ技術研究の１つの重要な方向である。ミリ波通信の研究プロセスにおいて、大きなシングルキャリア帯域幅が導入され、且つ、シングルキャリアのチャネル帯域幅は、７．５ｋＨｚ、１５ｋＨｚ、３０ｋＨｚ、６０ｋＨｚ、１２０ｋＨｚ等のような複数のサブキャリア間隔△ｆをサポートする。異なるサブキャリア間隔の帯域外減衰の状況が異なるため、帯域外漏洩は異なる。大きな帯域外漏洩は、一方で必要なガードバンドが大きくなり、スペクトル利用率が低くなり、他方で無線周波数デバイスに対する高い要求を招き、デバイスコストの上昇をもたらす。
【発明の概要】
【発明が解決しようとする課題】
【０００４】
これに鑑み、本発明の実施例は、無線リソース、無線リソースの電力の配分方法、ノード、および記憶媒体を提供することが望ましい。
【課題を解決するための手段】
【０００５】
第１態様では、本発明の実施例は、チャネル帯域幅内に各サブバンド（ＳＢ、Ｓｕｂ−Ｂａｎｄ）を配置し、サブキャリア間隔が最小となる複数のサブバンドのうちのいずれか１つのサブバンドを伝送帯域幅構成の最エッジ位置に配置することを含み、
前記チャネル帯域幅内の各サブバンドの電力を配分し、サブキャリア間隔が小さいサブバンドの各サブキャリアほど、小さい電力を配分し、サブキャリア間隔が大きいサブバンドの各サブキャリアほど、大きい電力を配分すること、を含み、
前記チャネル帯域幅内において、各サブバンドの電力はサブバンドの帯域幅に比例する無線リソースの配置方法を提供する。
【０００６】
第２態様では、本発明の実施例は、チャネル帯域幅内の各サブバンドの電力を配分することであって、サブキャリア間隔が小さいサブバンドの各サブキャリアほど、小さい電力を配分し、サブキャリア間隔が大きいサブバンドの各サブキャリアほど、大きい電力を配分すること、を含み、
前記チャネル帯域幅内において、各サブバンドの電力はサブバンドの帯域幅に比例する、無線リソースの電力の配分方法を更に提供する。
【０００７】
第３態様では、本発明の実施例は、チャネル帯域幅内に各サブバンドを配置するように配置され、且つ、サブキャリア間隔が最小となる複数のサブバンドのうちのいずれか１つのサブバンドを伝送帯域幅構成の最エッジ位置に配置するように配置される第１配置モジュールを備え、
前記第１配置モジュールは、更に、前記チャネル帯域幅内の各サブバンドの電力を配分するように配置され、
更に、サブキャリア間隔が小さいサブバンドの各サブキャリアほど、小さい電力を配分し、サブキャリア間隔が大きいサブバンドの各サブキャリアほど、大きい電力を配分するように配置され、
更に、前記チャネル帯域幅内の各サブバンドの電力を、前記チャネル帯域幅内において、各サブバンドの電力がサブバンドの帯域幅に比例するように配分するように配置される、ノードを更に提供する。
【０００８】
第４態様では、本発明の実施例は、チャネル帯域幅内の各サブバンドの電力を配分するように配置される第２配置モジュールであって、サブキャリア間隔が小さいサブバンドの各サブキャリアほど、小さい電力を配分し、サブキャリア間隔が大きいサブバンドの各サブキャリアほど、大きい電力を配分するように配置される第２配置モジュールを備え、
前記第２配置モジュールは、更に、前記チャネル帯域幅内の各サブバンドの電力を、各サブバンドの電力がサブバンドの帯域幅に比例するように配分するように配置される、ノードを更に提供する。
【０００９】
第５態様では、本発明の実施例は、プログラムを記憶するように配置されるメモリと、
実施されると上記無線リソースの配置方法を実行する前記プログラムを実施するように配置されるプロセッサと、
を備えるノードを更に提供する。
【００１０】
第６態様では、本発明の実施例は、プログラムを記憶するように配置されるメモリと、
実施されると上記無線リソースの電力の配分方法を実行する前記プログラムを実施するように配置されるプロセッサと、
を備えるノードを更に提供する。
【００１１】
第７態様では、本発明の実施例は、実施されると上記無線リソースの配置方法を実行する、記憶されたプログラムを備える記憶媒体を更に提供する。
【００１２】
第８態様では、本発明の実施例は、実施されると上記無線リソースの電力の配分方法を実行する、記憶されたプログラムを備える記憶媒体を更に提供する。
【発明の効果】
【００１３】
上記技術案を用い、本発明の実施例は、少なくとも以下の有益な効果を有する。
【００１４】
送信ノードキャリアのチャネル帯域幅（ＣＢ、Ｃｈａｎｎｅｌ  Ｂａｎｄｗｉｄｔｈ）内のサブバンドを配置する時、伝送帯域幅構成（ＴＢＣ、Ｔｒａｎｓｍｉｓｓｉｏｎ  Ｂａｎｄｗｉｄｔｈ  ｃｏｎｆｉｇｕｒａｔｉｏｎ）の最エッジに配置されたサブバンドのサブキャリア間隔を最小にする。サブキャリア間隔が小さいサブバンドほど、周波数領域における帯域外減衰が速いため、キャリア全体のチャネル帯域外の帯域外漏洩を低減することができ、大きなガードバンドの配置を回避し、スペクトルリソース利用率を効果的に向上させることができ、更に、無線周波数デバイス（例えば、フィルタ等）に対する要求を低減し、コストを削減することができる。
【００１５】
送信ノードキャリアのチャネル帯域幅内の各サブバンドの電力を配分することにより、サブキャリア間隔が小さいサブバンドの各サブキャリアほど、配分された電力が小さくなり、または、サブキャリア間隔が大きいサブバンドの各サブキャリアほど、配分された電力が大きくなる。サブキャリア間隔が小さければ小さいほど、サブキャリア時間領域の長さが長く、時間領域における電力蓄積の時間が長いことを意味するため、電力を配分する時、割り当てられる電力は小さくなり、サブキャリア間隔が大きければ大きいほど、サブキャリア時間領域の長さが短く、時間領域における電力蓄積の時間が短いことを意味するため、電力を配分する時、割り当てられる電力は大きくなり、このように、一方で各リソースエレメント（ＲＥ、Ｒｅｓｏｕｒｃｅ  Ｅｌｅｍｅｎｔ）における電力を一定に保持することを確保でき、他方で帯域外漏洩を低減することもできる。
【図面の簡単な説明】
【００１６】
【図１】本発明の実施例の無線リソースの配置方法のフローチャートである。
【図２】本発明の実施例の無線リソースの電力の配分方法のフローチャートである。
【図３】本発明の実施例のノードの構成の構造模式図である。
【図４】本発明の実施例のチャネル帯域幅内のサブバンドの配置模式図１である。
【図５】本発明の実施例のチャネル帯域幅内のサブバンドの配置模式図２である。
【図６】本発明の実施例のチャネル帯域幅内のサブバンドの配置模式図３である。
【図７】本発明の実施例のチャネル帯域幅内のサブバンドの配置模式図４である。
【図８】本発明の実施例のチャネル帯域幅内のサブバンドの配置模式図５である。
【図９】本発明の実施例のチャネル帯域幅内のサブバンドの配置模式図６である。
【図１０】本発明の実施例のチャネル帯域幅内のサブバンドの配置模式図７である。
【図１１】本発明の実施例のチャネル帯域幅内のサブバンドの配置模式図８である。
【図１２】本発明の技術案を実現するコンピュータの例示的な構造ブロック図である。
【発明を実施するための形態】
【００１７】
本発明が所定の目的を達成するために採用する技術的手段および効果を更に説明するために、以下、図面および実施例を参照しながら本発明について詳細に説明する。
【００１８】
本発明の実施例は、無線リソースを配置するための無線リソースの配置方法を提供する。図１に示すように、本実施例の無線リソースの配置方法は、以下のステップを含む。
【００１９】
ステップＳ１０１において、チャネル帯域幅内に各サブバンドを配置し、サブキャリア間隔が最小となる複数のサブバンドのうちのいずれか１つのサブバンドをＴＢＣの最エッジ位置に配置する。
【００２０】
ステップＳ１０３において、配置された無線リソースに基づいてデータ伝送を行う。
【００２１】
ここで、チャネル帯域幅内に配置された各サブバンドのうち、チャネル帯域幅の中間位置に最も近いサブバンドのサブキャリア間隔は最も大きい。
【００２２】
１つの実施例において、伝送帯域幅構成の最エッジ位置からチャネル帯域幅の中間位置までの周波数領域範囲内に配置された全てのサブバンドのうち、配置された異なるサブバンド内のサブキャリア間隔は単調に増加する。つまり、チャネル帯域幅の中間位置に近いサブバンド内ほど、サブキャリア間隔は大きくなり、伝送帯域幅構成のエッジ位置に近いサブバンド内ほど、サブキャリア間隔は小さくなる。
【００２３】
一実施例において、伝送帯域幅構成の最エッジ位置からチャネル帯域幅の中間位置までの周波数領域範囲内に配置された全てのサブバンドのうち、サブキャリア間隔が同じである異なるサブバンドの帯域幅は単調に増加する。つまり、伝送帯域幅構成の最エッジ位置からチャネル帯域幅の中間位置まで、サブキャリア間隔が同じであるサブバンドが配置されれば、サブバンドの帯域幅に基づいてサブバンドの順序を決定する。サブキャリア間隔が同じであるサブバンドは、伝送帯域幅構成の最エッジ位置に近ければ近いほど、サブバンドの帯域幅は小さくなり、チャネル帯域幅の中間位置に近ければ近いほど、サブバンドの帯域幅は大きくなる。
【００２４】
本発明の実施例において、サブバンドは、同じサブキャリア間隔を含む連続する物理時間周波数リソースブロックであり、チャネル帯域幅は、システムにおける送信ノードキャリアの無線周波数帯域幅であり、伝送帯域幅構成は、チャネル帯域幅内の物理時間周波数リソースの周波数領域における総帯域幅である。また、本発明の実施例に係る無線リソースの配置形態を用いてサブバンドを配置した後、チャネル帯域幅内に、伝送帯域幅構成の外（両側）に位置する２つのガードバンドは非対称であってもよく、または、この２つのガードバンドは対称であってもよい。
【００２５】
本発明の実施例に係るノードは、基地局、端末、リレー（ｒｅｌａｙ）、送信点（ｔｒａｎｓｍｉｔｔｉｎｇ  ｐｏｉｎｔ）等の各種の送信装置を備えてもよい。実際的には、いずれのネットワークノードは異なるシーンで、その身分が変化する可能性があり、例えば、端末もデータを送信する機能を果たすことができる。本発明の実施例の形態は、様々なネットワークノードに適用でき、基地局等のネットワーク側装置のノードに限定されない。
【００２６】
本発明の実施例は、無線リソースの電力の配分方法を更に提供し、該方法は、ノード（例えば、基地局、端末、リレー、送信点等のネットワークノード）により実現でき、該ノードは、該方法に基づいて送信電力を配分してデータを送信し、図２に示すように、該方法は以下のステップを含む。
【００２７】
ステップＳ２０１において、チャネル帯域幅内の各サブバンドの電力を配分し、ここで、サブキャリア間隔が小さいサブバンドの各サブキャリアほど、小さい電力を配分し、サブキャリア間隔が大きいサブバンドの各サブキャリアほど、大きい電力を配分する。
【００２８】
ステップＳ２０３において、配分された電力に基づいて信号送信を行う。
【００２９】
ここで、チャネル帯域幅内に、各サブバンドの電力がサブバンドの帯域幅に比例する。
【００３０】
本発明の実施例の無線リソースの電力の配分方法は、様々なシーンに適用でき、例えば、上述した無線リソースの配置方法（図１に示す方法）により配置されたサブバンドの基に、上記無線リソースの電力の配分方法により電力配分を完了してもよい。または、この前の無線リソース配置方法（図１に示す方法）に依存せず、各サブバンドに電力を直接配分してもよい。
【００３１】
本発明の実施例は、無線リソースを配置するように配置されるノード（基地局、端末、リレー等のデータを送信可能な各種の装置）を更に提供する。
【００３２】
図３に示すように、本発明の実施例のノードは、
チャネル帯域幅内に各サブバンドを配置するように配置され、更に、サブキャリア間隔が最小となる複数のサブバンドのうちのいずれか１つのサブバンドを伝送帯域幅構成の最エッジ位置に配置するように配置される第１配置モジュール３１と、
配置された無線リソースに基づいて信号送信を行うように配置される送信モジュール３２と、
を備える。
【００３３】
ここで、チャネル帯域幅の中間位置に最も近い箇所に、配置されたサブバンド内のサブキャリア間隔は最も大きい。具体的には、伝送帯域幅構成の最エッジ位置からチャネル帯域幅の中間位置までの周波数領域範囲内に、配置された異なるサブバンド内のサブキャリア間隔は単調に増加し、これに加え、伝送帯域幅構成の最エッジ位置からチャネル帯域幅の中間位置までの周波数領域範囲内に配置された全てのサブバンドのうち、サブキャリア間隔が同じである異なるサブバンドは、それらのサブバンドの帯域幅が単調に増加する。
【００３４】
一実施例において、上記ノードは、更に、チャネル帯域幅内の各サブバンドの電力を配分することにより、サブキャリア間隔が小さいサブバンド内の各サブキャリアほど、配分された電力が小さくなり、サブキャリア間隔が大きいサブバンド内の各サブキャリアほど、配分された電力が大きくなるように配置される。
【００３５】
一実施例において、前記ノードは、更に、チャネル帯域幅内の各サブバンドの電力を、各サブバンドの電力がサブバンドの帯域幅に比例するように配分するように配置される。
【００３６】
本発明の実施例は、チャネル帯域幅内の各サブバンドの電力を配分することにより、サブキャリア間隔が小さいサブバンド内の各サブキャリアほど、配分された電力が小さくなり、サブキャリア間隔が大きいサブバンド内の各サブキャリアほど、配分された電力が大きくなるように配置される第２配置モジュールを備えるノードを提供する。
【００３７】
一実施例において、前記第２配置モジュールは、更に、チャネル帯域幅内の各サブバンドの電力を、各サブバンドの電力がサブバンドの帯域幅に比例するように配分するように配置される。
【００３８】
以下、図面を参照しながら、本発明の各実施例について詳細に説明する。これらの実施例は、本発明の技術案を解釈するためのものであり、本発明の技術案はこれに限定されるものではない。
【００３９】
実施例１
本発明の実施例に係る無線リソース配置および電力の配分方法は、送信ノード等のネットワークノードに適用できる。マルチキャリアシステムの送信ノード（送信端とも呼ばれる）は、基地局、端末、リレー、送信点等の様々な送信装置を含む。
【００４０】
無線通信システムにおいて、チャネル帯域幅は、通信システムにおける送信ノードのシングルキャリアがサポートする無線周波数帯域幅であり、通常、ＴＢＣおよびガードバンド（ＧＢ、Ｇｕａｒｄ  Ｂａｎｄ）から構成され、ここで、ＧＢは２つの部分を含み、それぞれ伝送帯域幅構成の両辺に位置する。ＴＢＣは、システムのチャネル帯域幅内に送信ノードがサポートできる最大の伝送帯域幅であり、チャネル帯域幅内の物理時間周波数リソースの周波数領域における総帯域幅を含む。
【００４１】
本発明の実施例において、サブバンドは、同じサブキャリア間隔構成を含む連続する物理時間周波数リソースブロックであり、サブバンドＢＷを式で表すと、ＢＷ＝ｍ＊１２＊△ｆである。ここで、△ｆは該サブバンド内のサブキャリア間隔であり、ｍは０よりも大きい正の整数であり、ｍは実際のトラフィックのニーズに応じて柔軟に配置することができる。
【００４２】
図４は、本発明の実施例１のチャネル帯域幅内サブバンドの配置模式図である。図４に示すように、各周波数の関係は、ｆ２＞ｆ４＞ｆ０＞ｆ３＞ｆ１で、ＣＢ＝ｆ２−ｆ１であり、チャネル帯域幅の中心周波数ｆ０＝（ｆ２＋ｆ１）／２で、ＴＢＣの最エッジの２つの周波数点がｆ３およびｆ４で、ＴＢＣ＝ｆ４−ｆ３で、ガード帯域幅がそれぞれｆ３−ｆ１およびｆ２−ｆ４である。ＴＢＣの両辺の最エッジからＣＢの中心周波数ｆ０までの周波数領域範囲において、対応する周波数領域帯域幅はそれぞれｆ０−ｆ３およびｆ４−ｆ０である。
【００４３】
引き続き図４を参照し、本実施例において、送信ノードのシングルキャリアのＣＢは直流サブキャリアを含み、且つ、直流サブキャリアはいずれのデータを送信せず、直流サブキャリアが占める周波数領域範囲は［ｆ０１，ｆ０２］であり、直流サブキャリアの中心周波数はチャネル帯域幅の中心周波数に一致する。
【００４４】
本実施例において、ＴＢＣにｎ個のサブバンドが含まれ、且つ、各サブバンド内のサブキャリア間隔がいずれも等しくないと仮定する。
【００４５】
（１）ｎ＝２である場合、ＣＢ内に無線リソースを配置する時、以下のようなステップで行う。
【００４６】
（１．１）この２つのサブバンドを、それぞれ周波数点ｆ３から周波数点ｆ０１まで、および周波数点ｆ４から周波数点ｆ０２までの周波数領域範囲内に配置する。
【００４７】
（１．２）各サブバンドの電力を配分することにより、サブキャリア間隔が小さいサブバンドの各サブキャリアほど、配分された電力が小さくなり、または、サブキャリア間隔が大きいサブバンドの各サブキャリアほど、配分された電力が大きくなる。また、各サブバンドの配分電力とサブバンドの帯域幅とが比例関係にある。
【００４８】
（２）ｎ＝３または４である場合、ＣＢ内に無線リソースを配置する時、以下のようなステップで行う。
【００４９】
（２．１）全てのサブバンドの帯域幅（ＢＷ、Ｂａｎｄｗｉｄｔｈ）がいずれもｆ０１−ｆ３よりも小さく、且ついずれもｆ４−ｆ０２よりも小さい場合、
【００５０】
（２．２）ＴＢＣの最エッジの２つのサブバンドを配置し、ＴＢＣの最エッジの一方の辺に、サブキャリア間隔が最小となるサブバンドを配置し、ＴＢＣの最エッジの他方の辺に、サブキャリア間隔が最小から２番目であるサブバンドを配置する。
【００５１】
（２．３）ＴＢＣの残りの位置のサブバンドを配置し、残りのサブバンドを残りのＴＢＣの周波数範囲内に配置する。
【００５２】
（２．４）各サブバンドの電力を配分することにより、サブキャリア間隔が小さいサブバンドの各サブキャリアほど、配分された電力が小さくなり、または、サブキャリア間隔が大きいサブバンドの各サブキャリアほど、配分された電力が大きくなる。また、各サブバンドの配分電力とサブバンドの帯域幅とが比例関係にある。
【００５３】
（３）全てのサブバンドのうち、１つのサブバンドのＢＷがｆ０１−ｆ３またはｆ４−ｆ０２に等しい場合、
【００５４】
（３．１）ＢＷがｆ０１−ｆ３に等しいサブバンドを周波数点ｆ３から周波数点ｆ０１までの周波数領域範囲内に配置し、または、ＢＷがｆ４−ｆ０２に等しいサブバンドを周波数点ｆ４から周波数点ｆ０２までの周波数領域範囲内に配置する。
【００５５】
（３．２）ＴＢＣの最エッジの残りの１辺のサブバンドを配置し、ＴＢＣの最エッジの残りの１辺に、残りのサブバンドのうちのサブキャリア間隔が最小となるサブバンドを配置する。
【００５６】
（３．３）ＴＢＣの残りの位置のサブバンドを配置し、残りのサブバンドをサブキャリア間隔が単調に増加する順序で、残りのＴＢＣの周波数範囲内に配置する。これにより、周波数点ｆ３から周波数点ｆ０１まで、または周波数点ｆ４から周波数点ｆ０２までの残りの周波数範囲内に、全ての異なるサブバンドのサブキャリア間隔は単調に増加する。
【００５７】
（３．４）各サブバンドの電力を配分し、サブキャリア間隔が小さいサブバンドの各サブキャリアほど、小さい電力を配分し、サブキャリア間隔が大きいサブバンドの各サブキャリアほど、大きい電力を配分する。また、各サブバンドの配分電力とサブバンドの帯域幅とが比例関係にある。
【００５８】
（４）ｎ＞４である場合、ＣＢ内に無線リソースを配置する時、以下のようなステップで行う。
【００５９】
（４．１）全てのサブバンドのＢＷがいずれもｆ０１−ｆ３よりも小さく、且ついずれもｆ４−ｆ０２よりも小さい場合、
【００６０】
（４．１．１）ＴＢＣの最エッジの２つのサブバンドを配置し、ＴＢＣの最エッジの一方の辺に、サブキャリア間隔が最小となるサブバンドを配置し、ＴＢＣの最エッジの他方の辺に、サブキャリア間隔が最小から２番目であるサブバンドを配置する。
【００６１】
（４．１．２）ＣＢの中間に最も近い２つのサブバンドを配置し、直流サブキャリアに最も近い一方の辺に、サブキャリア間隔が最大となるサブバンドを配置し、直流サブキャリアに最も近い他方の辺に、サブキャリア間隔が最大から２番目であるサブバンドを配置する。
【００６２】
（４．１．３）ＴＢＣの残りの位置のサブバンドを配置し、残りのサブバンドをサブキャリア間隔が単調に増加する順序で、満杯になるまでそれぞれｆ０１−ｆ３およびｆ４−ｆ０２の残りの周波数領域帯域幅内に順次配置する。これにより、周波数点ｆ３から周波数点ｆ０１まで、および周波数点ｆ４から周波数点ｆ０２までの残りの周波数範囲内に、全ての異なるサブバンドのサブキャリア間隔は単調に増加する。
【００６３】
（４．１．４）上記ステップを完了した後、各サブバンドの電力を配分することにより、サブキャリア間隔が小さいサブバンドの各サブキャリアほど、配分された電力が小さくなり、または、サブキャリア間隔が大きいサブバンドの各サブキャリアほど、配分された電力が大きくなる。また、各サブバンドの配分電力とサブバンドの帯域幅とが比例関係にある。
【００６４】
（４．２）全てのサブバンドのうち、１つのサブバンドのＢＷがｆ０１−ｆ３またはｆ４−ｆ０２に等しい場合、
【００６５】
（４．２．１）ＢＷがｆ０１−ｆ３に等しいサブバンドを周波数点ｆ３から周波数点ｆ０１までの周波数領域範囲内に配置し、またはＢＷがｆ４−ｆ０２に等しいサブバンドを周波数点ｆ４から周波数点ｆ０２までの周波数領域範囲内に配置する。
【００６６】
（４．２．２）ＴＢＣの最エッジの残りの１辺のサブバンドを配置し、ＴＢＣの最エッジの残りの１辺に、残りのサブバンドのうちのサブキャリア間隔が最小となるサブバンドを配置する。
【００６７】
（４．２．３）ＴＢＣの残りの位置のサブバンドを配置し、残りのサブバンドをサブキャリア間隔が単調に増加する順序で、残りのＴＢＣの周波数範囲内に配置する。これにより、周波数点ｆ３から周波数点ｆ０１まで、または周波数点ｆ４から周波数点ｆ０２までの残りの周波数範囲内に、全ての異なるサブバンドのサブキャリア間隔は単調に増加する。
【００６８】
（４．２．４）各サブバンドの電力を配分することにより、サブキャリア間隔が小さいサブバンドの各サブキャリアほど、配分された電力が小さくなり、またはサブキャリア間隔が大きいサブバンドの各サブキャリアほど、配分された電力が大きくなる。また、各サブバンドの配分電力とサブバンドの帯域幅とが比例関係にある。
【００６９】
上記配置ステップにおいて、全てのサブバンドの間は連続してもよく、連続しなくてもよい（すなわち、隣接するサブバンド間に一定のガードインターバルが存在する）。上記ステップにより全てのサブバンドの配置を完了した後、ｆ３−ｆ１＝ｆ２−ｆ４であれば、ＴＢＣの両辺のガードバンドは対称であり、そうでなければ、非対称である。
【００７０】
ＴＢＣの最エッジのサブバンドを配置する時、配置される２つのサブバンドとＴＢＣの最エッジとの対応関係については、具体的に要求しない。例えば、サブキャリア間隔が最小となるサブバンドはサブバンドＳＢ１であり、サブキャリア間隔が最小から２番目であるサブバンドはＳＢ２であれば、周波数点ｆ３の直近にサブバンドＳＢ１を配置し、周波数点ｆ４の直近にＳＢ２を配置し、または、周波数点ｆ４の直近にＳＢ１を配置し、周波数点ｆ３の直近にＳＢ２を配置する。
【００７１】
ＣＢの中間に最も近いサブバンドを配置する時、配置される２つのサブバンドとＣＢの中間に最も近い両辺の位置との対応関係については、具体的に要求しない。例えば、サブキャリア間隔が最大となるサブバンドはサブバンドＳＢｎであり、サブキャリア間隔が最大から２番目であるサブバンドはＳＢｎ−１であれば、直流サブキャリアに最も近い左辺にＳＢｎを配置し、直流サブキャリアに最も近い右辺にＳＢｎ−１を配置し、または、直流サブキャリアに最も近い左辺にＳＢｎ−１を配置し、直流サブキャリアに最も近い右辺にＳＢｎを配置する。
【００７２】
ＴＢＣの残りの位置のサブバンドを配置し、残りのサブバンドに対し、どのサブバンドがｆ０１−ｆ３またはｆ４−ｆ０２の残りの周波数領域帯域幅内に配置されるかについても、具体的に要求しなくてもよい。すなわち、これらの残りのサブバンドは、いずれか１つのサブバンドもｆ０１−ｆ３またはｆ４−ｆ０２の残りの周波数領域帯域幅内に配置することができる。
【００７３】
例えば、
ＴＢＣにｎ（ｎ＞４）個のサブバンドの時間周波数リソースが含まれると仮定すると、図４に示すように、そのうちの各サブバンドにおけるサブキャリア間隔はいずれも等しくない。サブキャリア間隔は、それぞれ△ｆ１、△ｆ２、…、△ｆｉ、△ｆｉ＋１、…△ｆｎ−１、△ｆｎであり、それらの関係は、△ｆ１＜△ｆ２＜…＜△ｆｉ＜△ｆｉ＋１＜…＜△ｆｎ−１＜△ｆｎである。全てのｎ個のサブバンドを、各サブキャリア間隔の対応関係に従って番号を付け、すなわち、ＳＢｉに対応するサブキャリア間隔が△ｆｉで、ｉ＝１、２、…ｎ−１、ｎである。
【００７４】
各サブバンドの帯域幅は、それぞれＢＷ１、ＢＷ２、…、ＢＷｉ、ＢＷｉ＋１、…ＢＷｎ−１、ＢＷｎであり、ＢＷｉ（ｉ＝１、２、…ｎ−１、ｎ）はいずれもｆ０−ｆ３よりも小さく、且つ、いずれもｆ４−ｆ０よりも小さい。各サブバンドに配分された電力は、それぞれＰ１、Ｐ２、…、Ｐｉ、Ｐｉ＋１、…Ｐｎ−１、Ｐｎである。各サブバンドにおける各サブキャリアに配分された電力は、それぞれｐ１、ｐ２、…、ｐｉ、ｐｉ＋１、…ｐｎ−１、ｐｎである。各サブバンドにおいて、サブキャリア間隔がいずれも等しいため、各サブバンドにおける各サブキャリア電力も等しい。
【００７５】
この場合、本実施例におけるステップと方法に従い、
１．ＴＢＣの最エッジの２つのサブバンドを配置し、周波数点ｆ３の直近にサブバンドＳＢ１を配置し、周波数点ｆ４の直近にサブバンドＳＢ２を配置する。
２．ＣＢの中間に最も近い２つのサブバンドを配置し、直流サブキャリアに最も近い左辺にＳＢｎを配置し、直流サブキャリアに最も近い右辺にＳＢｎ−１を配置する。
３．ＴＢＣの残りの位置のサブバンドを配置し、周波数点ｆ３から周波数点ｆ０１までの残りの周波数範囲内に、サブキャリア間隔が単調に増加する順序で、（ｘ−２）個のＳＢを最終的に配置し、周波数点ｆ４から周波数点ｆ０２までの残りの周波数範囲内に、サブキャリア間隔が単調に増加する順序で、（ｎ−ｘ−２）個のＳＢを最終的に配置する。
【００７６】
上記３ステップにより全てのサブバンドを配置し、図４に示すとおりである。周波数点ｆ３から周波数点ｆ０１までの周波数範囲、および周波数点ｆ４から周波数点ｆ０２までの周波数範囲内に、配置された全てのサブバンドのうち、異なるサブバンドのサブキャリア間隔は単調に増加する。すなわち、周波数点ｆ３から周波数点ｆ０１までの周波数範囲において、△ｆ１＜…＜△ｆｉ＜…＜△ｆｎであり、周波数点ｆ４から周波数点ｆ０２までの周波数範囲において、△ｆ２＜…＜△ｆｍ＜…＜△ｆｎ−１である。
【００７７】
また、周波数点ｆ３から周波数点ｆ０１までの周波数範囲、および周波数点ｆ４から周波数点ｆ０２までの周波数範囲内に、配置された全てのサブバンドは連続して配置されてもよく、連続せずに配置されてもよい（すなわち、隣接するサブバンド間に一定のガードインターバルが存在する）。全てのサブバンドを配置した後、ｆ３−ｆ１＝ｆ２−ｆ４であれば、ＴＢＣの両辺のガードバンドは対称であり、そうでなければ、非対称である。
【００７８】
全てのサブバンドを配置した後、サブキャリア電力およびサブバンドの電力を配分する。すなわち、周波数点ｆ３から周波数点ｆ０１までの周波数範囲において、ｐ１＜…＜ｐｉ＜…＜ｐｎであり、周波数点ｆ４から周波数点ｆ０２までの周波数範囲において、ｐ２＜…＜ｐｍ＜…＜ｐｎ−１かつｐ１＜ｐ２＜…＜ｐｉ＜ｐｉ＋１＜…＜ｐｎ−１＜ｐｎである。各サブバンドに配分された電力ＰｎがサブバンドのＢＷｎに比例する。
【００７９】
実施例２
本実施例において、図５に示すように、送信ノードのシングルキャリアのＣＢに直流サブキャリアが含まれ、且つ、直流サブキャリアはいずれのデータを送信せず、直流サブキャリアが占める周波数領域範囲は［ｆ０１，ｆ０２］であり、直流サブキャリアの中心周波数はチャネル帯域幅の中心周波数に一致する。
【００８０】
引き続き図５を参照し、ＴＢＣにｎ個のサブバンドが含まれ、且つ、全てのサブバンドのうち、少なくとも２つのサブバンドにおけるサブキャリア間隔が同じであり、また、異なるサブバンドのサブキャリア間隔が全て等しいわけではないと仮定する。
【００８１】
（１）ｎ＝２である場合、ＣＢ内に無線リソースを配置する時、以下のようなステップで行う。
【００８２】
（１．１）この２つのサブバンドを、それぞれ周波数点ｆ３から周波数点ｆ０１、および周波数点ｆ４から周波数点ｆ０２までの周波数領域範囲内に配置する。
【００８３】
（１．２）各サブバンドの電力を配分し、各サブバンドにおける各サブキャリアに配分された電力は等しい。また、各サブバンドの配分電力とサブバンドの帯域幅とが比例関係にある。
【００８４】
（２）ｎ＝３または４である場合、ＣＢ内に無線リソースを配置する時、以下のようなステップで行う。
【００８５】
（２．１）全てのサブバンドのＢＷがいずれもｆ０１−ｆ３よりも小さく、且ついずれもｆ４−ｆ０２よりも小さい場合、
【００８６】
ａ）ＴＢＣの最エッジの２つのサブバンドを配置する。
【００８７】
ｉ．サブキャリア間隔が同じである複数のサブバンドのサブキャリア間隔が最小となる場合、
【００８８】
これらのサブバンドのうち、複数のサブバンド帯域幅が等しく、且つ帯域幅が最小となれば、ＴＢＣの最エッジの両辺にこれらの帯域幅が等しいサブバンドのうちのいずれか２つのサブバンドを配置する。
【００８９】
これらのサブバンドのうち、複数のサブバンド帯域幅が等しいが、帯域幅が最小とならなければ、ＴＢＣの最エッジの一方の辺に帯域幅が最小となるサブバンドを配置し、ＴＢＣの最エッジの他方の辺にこれらの帯域幅が等しいサブバンドのうちのいずれか１つのサブバンドを配置する。
【００９０】
これらのサブキャリア帯域幅がいずれも等しくなければ、ＴＢＣの最エッジの一方の辺に帯域幅が最小となるサブバンドを配置し、ＴＢＣの最エッジの他方の辺に帯域幅が最小から２番目であるサブバンドを配置する。
【００９１】
これらのサブバンドの帯域幅が全て等しければ、ＴＢＣの最エッジの両辺にこれらの帯域幅が等しいサブバンドのうちのいずれか２つのサブバンドを配置する。
【００９２】
ｉｉ．サブキャリア間隔が同じである複数のサブバンドのサブキャリア間隔が最小とならなければ、ＴＢＣの最エッジの一方の辺に、サブキャリア間隔が最小となるサブバンドを配置し、ＴＢＣの最エッジの他方の辺に、サブキャリア間隔が最小から２番目であるサブバンドを配置する。
【００９３】
ｂ）ＴＢＣの残りの位置のサブバンドを配置し、残りのサブバンドを残りのＴＢＣの周波数範囲内に配置する。
【００９４】
ｃ）各サブバンドの電力を配分することにより、サブキャリア間隔が小さいサブバンドの各サブキャリアほど、配分された電力が小さくなり、またはサブキャリア間隔が大きいサブバンドの各サブキャリアほど、配分された電力が大きくなる。また、各サブバンドの配分電力とサブバンドの帯域幅とが比例関係にある。
【００９５】
（２．２）全てのサブバンドのうち、１つのサブバンドのＢＷがｆ０１−ｆ３またはｆ４−ｆ０２に等しい場合、
【００９６】
ａ）ＢＷがｆ０１−ｆ３に等しいサブバンドを周波数点ｆ３から周波数点ｆ０１までの周波数領域範囲内に配置し、またはＢＷがｆ４−ｆ０２に等しいサブバンドを周波数点ｆ４から周波数点ｆ０２までの周波数領域範囲内に配置する。
【００９７】
ｂ）ＴＢＣの最エッジの残りの１辺のサブバンドを配置する。
【００９８】
ｉ．サブキャリア間隔が同じである複数のサブバンドのサブキャリア間隔が最小となる場合、
【００９９】
これらのサブバンドのうち、複数のサブバンド帯域幅が等しく、且つ帯域幅が最小となれば、ＴＢＣの最エッジの残りの１辺にこれらの帯域幅が等しいサブバンドのうちのいずれか１つのサブバンドを配置する。
【０１００】
これらのサブバンドのうち、複数のサブバンド帯域幅が等しいが、帯域幅が最小とならなければ、ＴＢＣの最エッジの残りの１辺に帯域幅が最小となるサブバンドを配置する。
【０１０１】
これらのサブキャリア帯域幅がいずれも等しくなければ、ＴＢＣの最エッジの残りの１辺に帯域幅が最小となるサブバンドを配置する。
【０１０２】
これらのサブバンドの帯域幅が全て等しければ、ＴＢＣの最エッジの残りの１辺にこれらの帯域幅が等しいサブバンドのうちのいずれか１つのサブバンドを配置する。
【０１０３】
ｉｉ．サブキャリア間隔が同じである複数のサブバンドのサブキャリア間隔が最小とならなければ、ＴＢＣの最エッジの残りの１辺にサブキャリア間隔が最小となるサブバンドを配置する。
【０１０４】
ｃ）ＴＢＣの残りの位置のサブバンドを配置し、残りのサブバンドをサブキャリア間隔が単調に増加する順序で、且つ同じサブキャリア間隔の異なるサブバンドを帯域幅が単調に増加する順序で、残りのＴＢＣの周波数範囲内に配置する。これにより、周波数点ｆ３から周波数点ｆ０１まで、または周波数点ｆ４から周波数点ｆ０２までの残りの周波数範囲内に、全ての異なるサブバンドのサブキャリア間隔は単調に増加し、且つ、同じサブキャリア間隔の異なるサブバンドの帯域幅は単調に増加する。
【０１０５】
ｄ）各サブバンドの電力を配分することにより、サブキャリア間隔が小さいサブバンドの各サブキャリアほど、配分された電力が小さくなり、またはサブキャリア間隔が大きいサブバンドの各サブキャリアほど、配分された電力が大きくなる。また、各サブバンドの配分電力とサブバンドの帯域幅とが比例関係にある。
【０１０６】
（３）ｎ＞４である場合、ＣＢ内に無線リソースを配置する時、以下のようなステップで行う。
【０１０７】
（３．１）全てのサブバンドのＢＷがいずれもｆ０１−ｆ３よりも小さく、且ついずれもｆ４−ｆ０２よりも小さい場合、
【０１０８】
ａ）ＴＢＣの最エッジの２つのサブバンドを配置する。
【０１０９】
ｉ．サブキャリア間隔が同じである複数のサブバンドのサブキャリア間隔が最小となる場合、
【０１１０】
これらのサブバンドのうち、複数のサブバンド帯域幅が等しく、且つ帯域幅が最小となれば、ＴＢＣの最エッジの両辺にこれらの帯域幅が等しいサブバンドのうちのいずれか２つのサブバンドを配置する。
【０１１１】
これらのサブバンドのうち、複数のサブバンド帯域幅が等しいが、帯域幅が最小とならなければ、ＴＢＣの最エッジの一方の辺に帯域幅が最小となるサブバンドを配置し、ＴＢＣの最エッジの他方の辺に帯域幅が最小から２番目であるサブバンドを配置する。
【０１１２】
これらのサブキャリア帯域幅がいずれも等しくなければ、ＴＢＣの最エッジの一方の辺に帯域幅が最小となるサブバンドを配置し、ＴＢＣの最エッジの他方の辺に帯域幅が最小から２番目であるサブバンドを配置する。
【０１１３】
これらのサブバンドの帯域幅が全て等しければ、ＴＢＣの最エッジの両辺に帯域幅が同じであるいずれか２つのサブバンドを配置する。
【０１１４】
ｉｉ．サブキャリア間隔が同じである複数のサブバンドのサブキャリア間隔が最小とならなければ、ＴＢＣの最エッジの一方の辺に、サブキャリア間隔が最小となるサブバンドを配置し、ＴＢＣの最エッジの他方の辺に、サブキャリア間隔が最小から２番目であるサブバンドを配置する。
【０１１５】
ｂ）ＣＢの中間に最も近い２つのサブバンドを配置する。
【０１１６】
ｉ．サブキャリア間隔が同じである複数のサブバンドのサブキャリア間隔が最大となる場合、
【０１１７】
これらのサブバンドのうち、複数のサブバンド帯域幅が等しく、且つ帯域幅が最大となれば、直流サブキャリアに最も近い両辺にこれらの帯域幅が等しいサブバンドのうちのいずれか２つのサブバンドを配置する。
【０１１８】
これらのサブバンドのうち、複数のサブバンド帯域幅が等しいが、帯域幅が最大とならなければ、直流サブキャリアに最も近い両辺の一方の辺に帯域幅が最大となるサブバンドを配置し、直流サブキャリアの両辺の他方の辺に帯域幅が最大から２番目であるサブバンドを配置する。
【０１１９】
これらのサブキャリア帯域幅がいずれも等しくなければ、直流サブキャリアに最も近い両辺の一方の辺に帯域幅が最大となるサブバンドを配置し、直流サブキャリアの両辺の他方の辺に帯域幅が最大から２番目であるサブバンドを配置する。
【０１２０】
これらのサブバンドの帯域幅が全て等しければ、直流サブキャリアの両辺に帯域幅が同じであるいずれか２つのサブバンドを配置する。
【０１２１】
ｉｉ．サブキャリア間隔が同じである複数のサブバンドのサブキャリア間隔が最大とならなければ、直流サブキャリアの両辺の一方の辺にサブキャリア間隔が最大となるサブバンドを配置し、直流サブキャリアの両辺の他方の辺にサブキャリア間隔が最大から２番目であるサブバンドを配置する。
【０１２２】
ｃ）ＴＢＣの残りの位置のサブバンドを配置し、残りのサブバンドをサブキャリア間隔が単調に増加する順序で、且つ同じサブキャリア間隔の異なるサブバンドを帯域幅が単調に増加する順序で、満杯になるまでそれぞれｆ０１−ｆ３およびｆ４−ｆ０２の残りの周波数領域帯域幅内に順次配置する。これにより、周波数点ｆ３から周波数点ｆ０１まで、および周波数点ｆ４から周波数点ｆ０２までの残りの周波数範囲内に、全ての異なるサブバンドのサブキャリア間隔は単調に増加し、且つ、同じサブキャリア間隔の異なるサブバンドの帯域幅は単調に増加する。
【０１２３】
ｄ）上記ステップを完了した後、各サブバンドの電力を配分することにより、同じサブキャリア間隔の異なるサブバンドにおける各サブキャリアに配分された電力が等しいとともに、サブキャリア間隔が小さいサブバンドの各サブキャリアほど、配分された電力が小さくなり、またはサブキャリア間隔が大きいサブバンドの各サブキャリアほど、配分された電力が大きくなる。また、各サブバンドの配分電力とサブバンドの帯域幅とが比例関係にある。
【０１２４】
（３．２）全てのサブバンドのうち、１つのサブバンドのＢＷがｆ０１−ｆ３またはｆ４−ｆ０２に等しい場合、
【０１２５】
ａ）ＢＷがｆ０１−ｆ３に等しいサブバンドを周波数点ｆ３から周波数点ｆ０１までの周波数領域範囲内に配置し、またはＢＷがｆ４−ｆ０２に等しいサブバンドを周波数点ｆ４から周波数点ｆ０２までの周波数領域範囲内に配置する。
【０１２６】
ｂ）ＴＢＣの最エッジの残りの１辺のサブバンドを配置する。
【０１２７】
ｉ．サブキャリア間隔が同じである複数のサブバンドのサブキャリア間隔が最小となる場合、
【０１２８】
これらのサブバンドのうち、複数のサブバンド帯域幅が等しく、且つ帯域幅が最小となれば、ＴＢＣの最エッジの残りの１辺にこれらの帯域幅が等しいサブバンドのうちのいずれか１つのサブバンドを配置する。
【０１２９】
これらのサブバンドのうち、複数のサブバンド帯域幅が等しいが、帯域幅が最小とならなければ、ＴＢＣの最エッジの残りの１辺に帯域幅が最小となるサブバンドを配置する。
【０１３０】
これらのサブキャリア帯域幅がいずれも等しくなければ、ＴＢＣの最エッジの残りの１辺に帯域幅が最小となるサブバンドを配置する。
【０１３１】
これらのサブバンドの帯域幅が全て等しければ、ＴＢＣの最エッジの残りの１辺にこれらの帯域幅が等しいサブバンドのうちのいずれか１つのサブバンドを配置する。
【０１３２】
ｉｉ．サブキャリア間隔が同じである複数のサブバンドのサブキャリア間隔が最小とならなければ、ＴＢＣの最エッジの残りの１辺にサブキャリア間隔が最小となるサブバンドを配置する。
【０１３３】
ｃ）ＴＢＣの残りの位置のサブバンドを配置し、残りのサブバンドをサブキャリア間隔が単調に増加する順序で、且つ同じサブキャリア間隔の異なるサブバンドを帯域幅が単調に増加する順序で、残りのＴＢＣの周波数範囲内に配置する。これにより、周波数点ｆ３から周波数点ｆ０１まで、または周波数点ｆ４から周波数点ｆ０２までの残りの周波数範囲内に、全ての異なるサブバンドのサブキャリア間隔は単調に増加し、且つ、同じサブキャリア間隔の異なるサブバンドの帯域幅は単調に増加する。
【０１３４】
ｄ）各サブバンドの電力を配分することにより、サブキャリア間隔が小さいサブバンドの各サブキャリアほど、配分された電力が小さくなり、またはサブキャリア間隔が大きいサブバンドの各サブキャリアほど、配分された電力が大きくなる。また、各サブバンドの配分電力とサブバンドの帯域幅とが比例関係にある。
【０１３５】
上記配置ステップにおいて、全てのサブバンドの間は連続してもよく、連続しなくてもよい（すなわち、隣接するサブバンド間に一定のガードインターバルが存在する）。上記ステップにより全てのサブバンドの配置を完了した後、ｆ３−ｆ１＝ｆ２−ｆ４であれば、ＴＢＣの両辺のガードバンドは対称であり、そうでなければ、非対称である。
【０１３６】
ＴＢＣの最エッジのサブバンドを配置する時、配置される２つのサブバンドとＴＢＣの最エッジとの対応関係については、具体的に要求しない。
【０１３７】
サブキャリアが同じであるサブバンドに４つのＳＢ（ＳＢ１〜ＳＢ４）があり、また、サブキャリア間隔が最小となり、すなわち、△ｆ１＝△ｆ２＝△ｆ３＝△ｆ４…＜△ｆｎであると仮定する。例として以下のとおりである。
【０１３８】
１）これらのサブバンドのうち、複数のサブバンド帯域幅が等しく、且つ帯域幅が最小となれば（例えば、ＢＷ１＝ＢＷ２＝ＢＷ３＜ＢＷ４）、周波数点ｆ３の直近および周波数点ｆ４の直近に、サブバンドＳＢ１、ＳＢ２、ＳＢ３という３つのサブバンドのうちのいずれか２つのサブバンドを配置する。
【０１３９】
２）これらのサブバンドの帯域幅がいずれも等しくなければ（例えば、ＢＷ１＜ＢＷ２＜ＢＷ３＜ＢＷ４）、周波数点ｆ３の直近にサブバンドＳＢ１を配置し、周波数点ｆ４の直近にサブバンドＳＢ２を配置し、または周波数点ｆ４の直近にサブバンドＳＢ１を配置し、周波数点ｆ３の直近にサブバンドＳＢ２を配置する。
【０１４０】
３）これらのサブバンドのうち、複数のサブバンド帯域幅が等しいが、帯域幅が最小とならなければ（例えば、ＢＷ１＜ＢＷ２＝ＢＷ３＜ＢＷ４）、周波数点ｆ３の直近にサブバンドＳＢ１を配置し、周波数点ｆ４の直近にサブバンドＳＢ２またはサブバンドＳＢ３を配置し、または周波数点ｆ４の直近にサブバンドＳＢ１を配置し、周波数点ｆ３の直近にサブバンドＳＢ２またはサブバンドＳＢ３を配置する。
【０１４１】
４）これらのサブバンドの帯域幅が全て等しければ（例えば、ＢＷ１＝ＢＷ２＝ＢＷ３＝ＢＷ４）、周波数点ｆ３の直近および周波数点ｆ４の直近に、４つのサブバンドのうちのいずれか２つのサブバンドを配置する。
【０１４２】
サブキャリア間隔が同じである複数のサブバンドは、そのサブキャリア間隔が最小とならないと仮定すれば、ＴＢＣの最エッジの一方の辺に、サブキャリア間隔が最小となるサブバンドを配置し、ＴＢＣの最エッジの他方の辺に、サブキャリア間隔が最小から２番目であるサブバンドを配置する。すなわち、ＴＢＣの最エッジに配置された２つのサブバンドのサブキャリア間隔は異なる。
【０１４３】
ＣＢの中間のサブバンドを配置する時、配置された２つのサブバンドとＣＢの中間位置との対応関係については、具体的に要求しない。
【０１４４】
サブキャリアが同じであるサブバンドに４つのＳＢ（ＳＢｎ−３〜ＳＢｎ）があり、また、サブキャリア間隔が最大となり、すなわち、△ｆ１…＜△ｆｎ−３＝△ｆｎ−２＝△ｆｎ−１＝△ｆｎであると仮定する。例として以下のとおりである。
【０１４５】
１）これらのサブバンドのうち、複数のサブバンド帯域幅が等しく、且つ帯域幅が最大となれば（例えば、ＢＷｎ−３＜ＢＷｎ−２＝ＢＷｎ−１＝ＢＷｎ）、直流サブキャリアに最も近い両辺に、サブバンドＳＢｎ、ＳＢｎ−１、ＳＢｎ−２という３つのサブバンドのうちのいずれか２つのサブバンドを配置する。
【０１４６】
２）これらのサブバンドの帯域幅がいずれも等しくなければ（例えば、ＢＷｎ−３＜ＢＷｎ−２＜ＢＷｎ−１＜ＢＷｎ）、直流サブキャリアの両辺の一方の辺にサブバンドＢＷｎを配置し、直流サブキャリアに最も近い両辺の他方の辺にサブバンドＢＷｎ−１を配置する。
【０１４７】
３）これらのサブバンドのうち、複数のサブバンド帯域幅が等しいが、帯域幅が最大とならなければ（例えば、ＢＷｎ−３＜ＢＷｎ−２＝ＢＷｎ−１＜ＢＷｎ）、直流サブキャリアに最も近い左辺にサブバンドＢＷｎを配置し、直流サブキャリアに最も近い右辺にサブバンドＢＷｎ−１またはＢＷｎ−２を配置し、または直流サブキャリアに最も近い左辺にサブバンドＢＷｎ−１またはＢＷｎ−２を配置し、直流サブキャリアに最も近い右辺にサブバンドＢＷｎを配置する。
【０１４８】
４）これらのサブバンドの帯域幅が全て等しければ（例えば、ＢＷｎ−３＝ＢＷｎ−２＝ＢＷｎ−１＝ＢＷｎ）、直流サブキャリアに最も近い両辺に４つのサブバンドのうちのいずれか２つのサブバンドを配置する。
【０１４９】
サブキャリア間隔が同じである複数のサブバンドは、そのサブキャリア間隔が最大とならないと仮定すれば、直流サブキャリアに最も近い一方の辺に、サブキャリア間隔が最大となるサブバンドを配置し、直流サブキャリアに最も近い他方の辺に、サブキャリア間隔が最大から２番目であるサブバンドを配置する。すなわち、直流サブキャリアに最も近い両辺において、配置された２つのサブバンドのサブキャリア間隔は異なる。
【０１５０】
ＴＢＣの残りの位置のサブバンドを配置し、残りのサブバンドに対し、どのサブバンドがｆ０１−ｆ３またはｆ４−ｆ０２の残りの周波数領域帯域幅内に配置されるかについても、具体的に要求しない。すなわち、これらの残りのサブバンドは、いずれか１つのサブバンドもｆ０１−ｆ３またはｆ４−ｆ０２の残りの周波数領域帯域幅内に配置することができる。
【０１５１】
例えば、
ＴＢＣにｎ（ｎ＞４）個のサブバンドＳＢが含まれ、サブキャリア間隔がそれぞれ△ｆ１、△ｆ２、△ｆ３、△ｆ４、…、△ｆｉ、△ｆｉ＋１、△ｆｉ＋２、△ｆｉ＋３、…△ｆｎ−３、△ｆｎ−２、△ｆｎ−１、△ｆｎであると仮定する。各サブキャリア間隔の関係は以下のとおりである。
【０１５２】
［式１］
△ｆ１＝△ｆ２＝△ｆ３＝△ｆ４＜…＜△ｆｉ＝△ｆｉ＋１＝△ｆｉ＋２＝△ｆｉ＋３＜…＜△ｆｎ−３＝△ｆｎ−２＝△ｆｎ−１＝△ｆｎ。
【０１５３】
全てのｎ個のサブバンドＳＢを、各サブキャリア間隔の対応関係に従って番号を付け、すなわち、ＳＢｉに対応するサブキャリア間隔は△ｆｉ、ｉ＝１、２、…ｎ−１、ｎである。
【０１５４】
各サブバンドの帯域幅は、それぞれＢＷ１、ＢＷ２、ＢＷ３、ＢＷ４、…、ＢＷｉ、ＢＷｉ＋１、ＢＷｉ＋２、ＢＷｉ＋３、…ＢＷｎ−３、ＢＷｎ−２、ＢＷｎ−１、ＢＷｎであり、ＢＷｉ（ｉ＝１、２、…ｎ−１、ｎ）はいずれもｆ０−ｆ３よりも小さく、且つ、いずれもｆ４−ｆ０よりも小さい。各サブバンド帯域幅の関係は以下のとおりである。
【０１５５】
［式２］
ＢＷ１＜ＢＷ２＝ＢＷ３＜ＢＷ４＜…＜ＢＷｉ＝ＢＷｉ＋１＜ＢＷｉ＋２＝ＢＷｉ＋３＜…＜ＢＷｎ−３＜ＢＷｎ−２＝ＢＷｎ−１＜ＢＷｎ。
【０１５６】
各サブバンドに配分された電力は、それぞれＰ１、Ｐ２、…、Ｐｉ、Ｐｉ＋１、…Ｐｎ−１、Ｐｎである。各サブバンドにおける各サブキャリアに配分された電力は、それぞれｐ１、ｐ２、…、ｐｉ、ｐｉ＋１、…ｐｎ−１、ｐｎである。各サブバンドにおいて、サブキャリア間隔がいずれも等しいため、各サブバンドにおける各サブキャリア電力も等しい。
【０１５７】
この場合、本実施例におけるステップと方法に従い、
１．ＴＢＣの最エッジの２つのサブバンドを配置し、周波数点ｆ３の直近にサブバンドＳＢ１を配置し、周波数点ｆ４の直近にＳＢ２およびＳＢ３という２つのサブバンドのうちのいずれか１つのサブバンドを配置し、例えば、ＳＢ２を配置する。
２．ＣＢの中間に最も近い２つのサブバンドを配置し、直流サブキャリアに最も近い左辺にＳＢｎを配置し、直流サブキャリアに最も近い右辺にＳＢｎ−２およびＳＢｎ−１という２つのサブバンドのうちのいずれか１つのサブバンドを配置し、例えば、ＳＢｎ−１を配置する。
３．ＴＢＣの残りの位置のサブバンドを配置し、周波数点ｆ３から周波数点ｆ０１までの残りの周波数範囲内に、サブキャリア間隔が単調に増加する順序で、且つ同じサブキャリア間隔の異なるサブバンドを帯域幅が単調に増加する順序で、（ｘ−２）個のサブバンドを最終的に配置し、周波数点ｆ４から周波数点ｆ０２までの残りの周波数範囲内に、サブキャリア間隔が単調に増加する順序で、且つ同じサブキャリア間隔の異なるサブバンドを帯域幅が単調に増加する順序で、（ｎ−ｘ−２）個のサブバンドを最終的に配置する。
【０１５８】
上記３ステップにより全てのサブバンドを配置し、図５に示すとおりである。周波数点ｆ３から周波数点ｆ０１までの周波数範囲、および周波数点ｆ４から周波数点ｆ０２までの周波数範囲内に、配置された全てのサブバンドのうち、異なるサブバンドのサブキャリア間隔は単調に増加し、また、同じサブキャリア間隔の異なるサブバンドの帯域幅は単調に増加する。すなわち、周波数点ｆ３から周波数点ｆ０１までの周波数範囲において、△ｆ１＝△ｆ３…＜△ｆｉ＝△ｆｉ＋１＝△ｆｉ＋２＜…＜△ｆｎ−１であり、ＢＷ１＜ＢＷ３＜…＜ＢＷｉ＝ＢＷｉ＋１＜ＢＷｉ＋２＜ＢＷｎ−１である。
【０１５９】
周波数点ｆ４から周波数点ｆ０２までの周波数範囲において、△ｆ２＝△ｆ４…＜△ｆｎ−３＝△ｆｎ−２＝△ｆｎであり、ＢＷ２＜ＢＷ４＜…＜ＢＷｎ−３＜ＢＷｎ−２＜ＢＷｎである。
【０１６０】
また、周波数点ｆ３から周波数点ｆ０１まで周波数範囲、および周波数点ｆ４から周波数点ｆ０２までの周波数範囲内に、配置された全てのサブバンドは連続して配置されてもよく、連続せずに配置されてもよい（すなわち、隣接するサブバンド間に一定のガードインターバルが存在する）。全てのサブバンドを配置した後、ｆ３−ｆ１＝ｆ２−ｆ４であれば、ＴＢＣの両辺のガードバンドは対称であり、そうでなければ、非対称である。
【０１６１】
ＴＢＣにおいて、全てのサブバンドを配置した後、サブキャリア電力およびサブバンドの電力を配分する。すなわち、周波数点ｆ３から周波数点ｆ０１までの周波数範囲において、ｐ１＝ｐ３…＜ｐｉ＝ｐｉ＋１＝ｐｉ＋２＜…＜ｐｎ−１であり、周波数点ｆ４から周波数点ｆ０２までの周波数範囲において、ｐ２＝ｐ４…＜ｐｎ−３＝ｐｎ−２＝ｐｎである。また、全てのサブバンドにおける各サブキャリアの電力は、ｐ１＝ｐ２＝ｐ３＝ｐ４＜…＜ｐｉ＝ｐｉ＋１＝ｐｉ＋２＝ｐｉ＋３＜…＜ｐｎ−３＝ｐｎ−２＝ｐｎ−１＝ｐｎを満たす。各サブバンドに配分された電力ＰｎがサブバンドのＢＷｎに比例する。
【０１６２】
実施例３
本実施例において、送信ノードのシングルキャリアのＣＢにおける全ての時間周波数リソースは、いずれもデータを送信する。
【０１６３】
本実施例において、ＴＢＣにｎ（ｎ＞４）個のサブバンドが含まれ、且つ、各サブバンドにおけるサブキャリア間隔がいずれも等しくないと仮定する。ＣＢ内に無線リソースを配置する時、以下のようなステップで行う。
【０１６４】
（１）全てのサブバンドのＢＷがいずれもｆ０−ｆ３よりも小さく、且ついずれもｆ４−ｆ０よりも小さい場合、
【０１６５】
ａ）ＴＢＣの最エッジの２つのサブバンドを配置し、ＴＢＣの最エッジの一方の辺に、サブキャリア間隔が最小となるサブバンドを配置し、ＴＢＣの最エッジの他方の辺に、サブキャリア間隔が最小から２番目であるサブバンドを配置する。
【０１６６】
ｂ）ＣＢの中間に最も近い１つのサブバンドを配置し、周波数点ｆ０箇所にサブキャリア間隔が最大となる１つのサブバンドを配置する。
【０１６７】
ｃ）ＴＢＣの残りの位置のサブバンドを配置し、残りのサブバンドをサブキャリア間隔の小さい順で、満杯になるまでそれぞれｆ０−ｆ３およびｆ４−ｆ０の残りの周波数領域帯域幅内に順次配置する。これにより、周波数点ｆ３から周波数点ｆ０まで、および周波数点ｆ４から周波数点ｆ０までの残りの周波数範囲内に、全ての異なるサブバンドのサブキャリア間隔は単調に増加する。
【０１６８】
ｄ）上記ステップを完了した後、各サブバンドの電力を配分することにより、サブキャリア間隔が小さいサブバンドの各サブキャリアほど、配分された電力が小さくなり、または、サブキャリア間隔が大きいサブバンドの各サブキャリアほど、配分された電力が大きくなる。また、各サブバンドの配分電力とサブバンドの帯域幅とが比例関係にある。
【０１６９】
（２）全てのサブバンドのうち、１つのサブバンドのＢＷがｆ０−ｆ３またはｆ４−ｆ０に等しい場合、
【０１７０】
ａ）ＢＷがｆ０−ｆ３に等しいサブバンドを周波数点ｆ３から周波数点ｆ０までの周波数領域範囲内に配置し、またはＢＷがｆ４−ｆ０に等しいサブバンドを周波数点ｆ４から周波数点ｆ０までの周波数領域範囲内に配置する。
【０１７１】
ｂ）ＴＢＣの最エッジの残りの１辺のサブバンドを配置し、ＴＢＣの最エッジの残りの１辺に、残りのサブバンドのうちのサブキャリア間隔が最小となるサブバンドを配置する。
【０１７２】
ｃ）ＴＢＣの残りの位置のサブバンドを配置し、残りのサブバンドをサブキャリア間隔が単調に増加する順序で、残りのＴＢＣの周波数範囲内に配置する。これにより、周波数点ｆ３から周波数点ｆ０まで、または周波数点ｆ４から周波数点ｆ０までの残りの周波数範囲内に、全ての異なるサブバンドのサブキャリア間隔は単調に増加する。
【０１７３】
ｄ）各サブバンドの電力を配分することにより、サブキャリア間隔が小さいサブバンドの各サブキャリアほど、配分された電力が小さくなり、またはサブキャリア間隔が大きいサブバンドの各サブキャリアほど、配分された電力が大きくなる。また、各サブバンドの配分電力とサブバンドの帯域幅とが比例関係にある。
【０１７４】
上記配置ステップにおいて、全てのサブバンドの間は連続してもよく、連続しなくてもよい（すなわち、隣接するサブバンド間に一定のガードインターバルが存在する）。上記ステップにより全てのサブバンドの配置を完了した後、ｆ３−ｆ１＝ｆ２−ｆ４であれば、ＴＢＣの両辺のガードバンドは対称であり、そうでなければ、非対称である。
【０１７５】
ＴＢＣの最エッジのサブバンドを配置する時、配置される２つのサブバンドとＴＢＣの最エッジとの対応関係については、具体的に要求しない。例えば、サブキャリア間隔が最小となるサブバンドはサブバンドＳＢ１であり、サブキャリア間隔が最小から２番目であるサブバンドはＳＢ２であれば、周波数点ｆ３の直近にサブバンドＳＢ１を配置し、周波数点ｆ４の直近にＳＢ２を配置し、または周波数点ｆ４の直近にＳＢ１を配置し、周波数点ｆ３の直近にＳＢ２を配置する。
【０１７６】
ＣＢの中間に最も近いサブバンドを配置する時、周波数点ｆ０箇所に配置されたサブキャリア間隔が最大となるサブバンドは、そのサブバンドの中心周波数点が周波数点ｆ０と重なってもよく、重ならなくてもよく、具体的な状況は実際の配置に応じて動的に調整することができるが、ＣＢの中心周波数点は、該サブバンドの周波数領域範囲内に含まれている。
【０１７７】
ＴＢＣの残りの位置のサブバンドを配置し、残りのサブバンドに対し、どのサブバンドがｆ０−ｆ３またはｆ４−ｆ０の残りの周波数領域帯域幅内に配置されるかについても、具体的に要求しない。すなわち、これらの残りのサブバンドは、いずれか１つのサブバンドもｆ０−ｆ３またはｆ４−ｆ０の残りの周波数領域帯域幅内に配置され得る。
【０１７８】
例えば、
ＴＢＣにｎ個のサブバンドＳＢ（ｎ＞４）が含まれ、且つ、各サブバンドＳＢにおけるサブキャリア間隔がいずれも等しくないと仮定する。各サブバンドＳＢに対応するサブキャリア間隔は、それぞれ△ｆ１、△ｆ２、…、△ｆｉ、△ｆｉ＋１、…△ｆｎ−１、△ｆｎであり、それらの関係は、△ｆ１＜△ｆ２＜…＜△ｆｉ＜△ｆｉ＋１＜…＜△ｆｎ−１＜△ｆｎである。
【０１７９】
各サブバンドの帯域幅は、それぞれＢＷ１、ＢＷ２、…、ＢＷｉ、ＢＷｉ＋１、…ＢＷｎ−１、ＢＷｎであり、ＢＷｉ（ｉ＝１、２、…ｎ−１、ｎ）がｆ０−ｆ３よりも小さく、且つｆ４−ｆ０よりも小さい。各サブバンドに配分された電力は、それぞれＰ１、Ｐ２、…、Ｐｉ、Ｐｉ＋１、…Ｐｎ−１、Ｐｎである。各サブバンドにおける各サブキャリアに配分された電力は、それぞれｐ１、ｐ２、…、ｐｉ、ｐｉ＋１、…ｐｎ−１、ｐｎである。各サブバンドにおいて、サブキャリア間隔がいずれも等しいため、各サブバンドにおける各サブキャリア電力も等しい。
【０１８０】
この場合、本実施例におけるステップと方法に従い、
１．ＴＢＣの最エッジの２つのサブバンドを配置し、周波数点ｆ３の直近にサブバンドＳＢ１を配置し、周波数点ｆ４の直近にサブバンドＳＢ２を配置する。
２．ＣＢの中間に最も近い１つのサブバンドを配置し、周波数点ｆ０箇所にサブバンドＳＢｎを配置する。ここで、サブバンドＳＢｎの中心周波数点は、図６に示すようにＣＢの中心周波数点と重なってもよく、図７に示すようにＣＢの中心周波数点と重ならなくてもよい。
【０１８１】
３．ＴＢＣの残りの位置のサブバンドを配置し、周波数点ｆ３から周波数点ｆ０までの残りの周波数範囲内に、サブキャリア間隔が単調に増加する順序で、（ｘ−１）個のＳＢを最終的に配置し、周波数点ｆ４から周波数点ｆ０までの残りの周波数範囲内に、サブキャリア間隔が単調に増加する順序で、（ｎ−ｘ−２）個のＳＢを最終的に配置する。
【０１８２】
上記３ステップにより全てのサブバンドを配置し、図６および図７に示すように、周波数点ｆ３から周波数点ｆ０までの周波数範囲、および周波数点ｆ４から周波数点ｆ０までの周波数範囲内に、配置された全てのサブバンドのうち、異なるサブバンドのサブキャリア間隔は単調に増加する。すなわち、周波数点ｆ３から周波数点ｆ０までの周波数範囲において、△ｆ１＜…＜△ｆｉ＜…＜△ｆｎであり、周波数点ｆ４から周波数点ｆ０までの周波数範囲において、△ｆ２＜…＜△ｆｍ＜…＜△ｆｎである。
【０１８３】
また、周波数点ｆ３から周波数点ｆ０までの周波数範囲、および周波数点ｆ４から周波数点ｆ０までの周波数範囲内に、配置された全てのサブバンドは連続して配置されてもよく、連続せずに配置されてもよい（すなわち、隣接するサブバンド間に一定のガードインターバルが存在する）。全てのサブバンドを配置した後、ｆ３−ｆ１＝ｆ２−ｆ４であれば、ＴＢＣの両辺のガードバンドは対称であり、そうでなければ、非対称である。
【０１８４】
全てのサブバンドを配置した後、サブキャリア電力およびサブバンドの電力を配分する。すなわち、周波数点ｆ３から周波数点ｆ０までの周波数範囲において、ｐ１＜…＜ｐｉ＜…＜ｐｎであり、周波数点ｆ４から周波数点ｆ０までの周波数範囲において、ｐ２＜…＜ｐｍ＜…＜ｐｎ−１且つｐ１＜ｐ２＜…＜ｐｉ＜ｐｉ＋１＜…＜ｐｎ−１＜ｐｎである。各サブバンドに配分された電力ＰｎがサブバンドのＢＷｎに比例する。
【０１８５】
実施例４
本実施例において、送信ノードのシングルキャリアのＣＢにおける全ての時間周波数リソースは、いずれもデータを送信する。
【０１８６】
本実施例において、ＴＢＣにｎ個のサブバンド（ｎ＞４）が含まれ、且つ、各サブバンドにおけるサブキャリア間隔がいずれも等しくないと仮定する。
【０１８７】
ＣＢ内に無線リソースを配置する時、以下のようなステップで行う。
【０１８８】
（１）全てのサブバンドのＢＷがいずれもｆ０−ｆ３よりも小さく、且ついずれもｆ４−ｆ０よりも小さい場合、
【０１８９】
ａ）ＴＢＣの最エッジの２つのサブバンドを配置し、ＴＢＣの最エッジの一方の辺に、サブキャリア間隔が最小となるサブバンドを配置し、ＴＢＣの最エッジの他方の辺に、サブキャリア間隔が最小から２番目であるサブバンドを配置する。
【０１９０】
ｂ）ＣＢの中間に最も近い２つのサブバンドを配置し、周波数点ｆ０に最も近い一方の辺に、サブキャリア間隔が最大となるサブバンドを配置し、周波数点ｆ０に最も近い他方の辺に、サブキャリア間隔が最大から２番目であるサブバンドを配置する。
【０１９１】
ｃ）ＴＢＣの残りの位置のサブバンドを配置し、残りのサブバンドをサブキャリア間隔が単調に増加する順序で、満杯になるまでそれぞれｆ０−ｆ３およびｆ４−ｆ０の残りの周波数領域帯域幅内に順次配置する。これにより、周波数点ｆ３から周波数点ｆ０まで、および周波数点ｆ４から周波数点ｆ０までの残りの周波数範囲内に、全ての異なるサブバンドのサブキャリア間隔は単調に増加する。
【０１９２】
ｄ）上記ステップを完了した後、各サブバンドの電力を配分することにより、サブキャリア間隔が小さいサブバンドの各サブキャリアほど、配分された電力が小さくなり、またはサブキャリア間隔が大きいサブバンドの各サブキャリアほど、配分された電力が大きくなる。また、各サブバンドの配分電力とサブバンドの帯域幅とが比例関係にある。
【０１９３】
（２）全てのサブバンドのうち、１つのサブバンドのＢＷがｆ０−ｆ３またはｆ４−ｆ０に等しい場合、
【０１９４】
ａ）ＢＷがｆ０−ｆ３に等しいサブバンドを周波数点ｆ３から周波数点ｆ０までの周波数領域範囲内に配置し、またはＢＷがｆ４−ｆ０に等しいサブバンドを周波数点ｆ４から周波数点ｆ０までの周波数領域範囲内に配置する。
【０１９５】
ｂ）ＴＢＣの最エッジの残りの１辺のサブバンドを配置し、ＴＢＣの最エッジの残りの１辺に、残りのサブバンドのうちのサブキャリア間隔が最小となるサブバンドを配置する。
【０１９６】
ｃ）ＴＢＣの残りの位置のサブバンドを配置し、残りのサブバンドをサブキャリア間隔が単調に増加する順序で、残りのＴＢＣの周波数範囲内に配置する。これにより、周波数点ｆ３から周波数点ｆ０まで、または周波数点ｆ４から周波数点ｆ０までの残りの周波数範囲内に、全ての異なるサブバンドのサブキャリア間隔は単調に増加する。
【０１９７】
ｄ）各サブバンドの電力を配分することにより、サブキャリア間隔が小さいサブバンドの各サブキャリアほど、配分された電力が小さくなり、またはサブキャリア間隔が大きいサブバンドの各サブキャリアほど、配分された電力が大きくなる。また、各サブバンドの配分電力とサブバンドの帯域幅とが比例関係にある。
【０１９８】
上記配置ステップにおいて、全てのサブバンドの間は連続してもよく、連続しなくてもよい（すなわち、隣接するサブバンド間に一定のガードインターバルが存在する）。上記ステップにより全てのサブバンドの配置を完了した後、ｆ３−ｆ１＝ｆ２−ｆ４であれば、ＴＢＣの両辺のガードバンドは対称であり、そうでなければ、非対称である。
【０１９９】
ＴＢＣの最エッジのサブバンドを配置する時、配置される２つのサブバンドとＴＢＣの最エッジとの対応関係については、具体的に要求しない。例えば、サブキャリア間隔が最小となるサブバンドはサブバンドＳＢ１であり、サブキャリア間隔が最小から２番目であるサブバンドはＳＢ２であれば、周波数点ｆ３の直近にサブバンドＳＢ１を配置し、周波数点ｆ４の直近にＳＢ２を配置し、または周波数点ｆ４の直近にＳＢ１を配置し、周波数点ｆ３の直近にＳＢ２を配置する。
【０２００】
ＣＢの中間に最も近いサブバンドを配置する時、配置される２つのサブバンドとＣＢの中間の両辺の位置との対応関係については、具体的に要求しない。例えば、サブキャリア間隔が最大となるサブバンドはサブバンドＳＢｎであり、サブキャリア間隔が最大から２番目であるサブバンドはＳＢｎ−１であれば、周波数点ｆ０に最も近い左辺にＳＢｎを配置し、周波数点ｆ０に最も近い右辺にＳＢｎ−１を配置し、または、周波数点ｆ０に最も近い左辺にＳＢｎ−１を配置し、周波数点ｆ０に最も近い右辺にＳＢｎを配置する。
【０２０１】
ＴＢＣの残りの位置のサブバンドを配置し、残りのサブバンドに対し、どのサブバンドがｆ０−ｆ３またはｆ４−ｆ０の残りの周波数領域帯域幅内に配置されるかについても、具体的に要求しない。すなわち、これらの残りのサブバンドは、いずれか１つのサブバンドもｆ０−ｆ３またはｆ４−ｆ０の残りの周波数領域帯域幅内に配置され得る。
【０２０２】
例えば、
ＴＢＣにｎ（ｎ＞４）個のサブバンドＳＢが含まれ、且つ、各サブバンドＳＢにおけるサブキャリア間隔がいずれも等しくないと仮定する。各サブバンドＳＢに対応するサブキャリア間隔は、それぞれ△ｆ１、△ｆ２、…、△ｆｉ、△ｆｉ＋１、…△ｆｎ−１、△ｆｎであり、それらの関係は、△ｆ１＜△ｆ２＜…＜△ｆｉ＜△ｆｉ＋１＜…＜△ｆｎ−１＜△ｆｎである。
【０２０３】
各サブバンドの帯域幅は、それぞれＢＷ１、ＢＷ２、…、ＢＷｉ、ＢＷｉ＋１、…ＢＷｎ−１、ＢＷｎであり、全てのサブバンド帯域幅がいずれもｆ０−ｆ３よりも小さく、且ついずれもｆ４−ｆ０よりも小さい。各サブバンドに配分された電力は、それぞれＰ１、Ｐ２、…、Ｐｉ、Ｐｉ＋１、…Ｐｎ−１、Ｐｎである。各サブバンドにおける各サブキャリアに配分された電力は、それぞれｐ１、ｐ２、…、ｐｉ、ｐｉ＋１、…ｐｎ−１、ｐｎである。各サブバンドにおいて、サブキャリア間隔がいずれも等しいため、各サブバンドにおける各サブキャリア電力も等しい。
【０２０４】
この場合、本実施例におけるステップと方法に従い、
１．ＴＢＣの最エッジの２つのサブバンドを配置し、周波数点ｆ３の直近にサブバンドＳＢ１を配置し、周波数点ｆ４の直近にサブバンドＳＢ２を配置する。
２．ＣＢの中間に最も近い２つのサブバンドを配置し、周波数点ｆ０に最も近い左辺にＳＢｎを配置し、周波数点ｆ０に最も近い右辺にＳＢｎ−１を配置する。
３．ＴＢＣの残りの位置のサブバンドを配置し、周波数点ｆ３から周波数点ｆ０までの残りの周波数範囲内に、サブキャリア間隔が単調に増加する順序で、（ｘ−２）個のＳＢを最終的に配置し、周波数点ｆ４から周波数点ｆ０までの残りの周波数範囲内に、サブキャリア間隔が単調に増加する順序で、（ｎ−ｘ−２）個のＳＢを最終的に配置する。
【０２０５】
上記３ステップにより全てのサブバンドを配置し、図８に示すとおりである。周波数点ｆ３から周波数点ｆ０までの周波数範囲、および周波数点ｆ４から周波数点ｆ０までの周波数範囲内に、配置された全てのサブバンドのうち、異なるサブバンドのサブキャリア間隔は単調に増加する。すなわち、図８において、周波数点ｆ３から周波数点ｆ０までの周波数範囲において、△ｆ１＜…＜△ｆｉ＜…＜△ｆｎであり、周波数点ｆ４から周波数点ｆ０までの周波数範囲において、△ｆ２＜…＜△ｆｍ＜…＜△ｆｎ−１である。
【０２０６】
また、周波数点ｆ３から周波数点ｆ０までの周波数範囲、および周波数点ｆ４から周波数点ｆ０までの周波数範囲内に、配置された全てのサブバンドは連続して配置されてもよく、連続せずに配置されてもよい（すなわち、隣接するサブバンド間に一定のガードインターバルが存在する）。全てのサブバンドを配置した後、ｆ３−ｆ１＝ｆ２−ｆ４であれば、ＴＢＣの両辺のガードバンドは対称であり、そうでなければ、非対称である。
【０２０７】
ＴＢＣにおいて、全てのサブバンドを配置した後、サブキャリア電力およびサブバンドの電力を配分する。すなわち、周波数点ｆ３から周波数点ｆ０までの周波数範囲において、ｐ１＜…＜ｐｉ＜…＜ｐｎであり、周波数点ｆ４から周波数点ｆ０までの周波数範囲において、ｐ２＜…＜ｐｍ＜…＜ｐｎ−１且つｐ１＜ｐ２＜…＜ｐｉ＜ｐｉ＋１＜…＜ｐｎ−１＜ｐｎである。各サブバンドに配分された電力ＰｎがサブバンドのＢＷｎに比例する。
【０２０８】
実施例５
本実施例において、上記実施例３および実施例４におけるｎ≦４の場合について補足説明する。
【０２０９】
本実施例において、送信ノードのシングルキャリアのＣＢにおける全ての時間周波数リソースは、いずれもデータを送信する。
【０２１０】
本実施例において、ＴＢＣにｎ個のサブバンドが含まれ、且つ、各サブバンドにおけるサブキャリア間隔がいずれも等しくないと仮定する。
【０２１１】
（１）ｎ＝２である場合、ＣＢ内に無線リソースを配置する時、以下のようなステップで行う。
【０２１２】
（１．１）この２つのサブバンドを、それぞれ周波数点ｆ３から周波数点ｆ０まで、および周波数点ｆ４から周波数点ｆ０までの周波数領域範囲内に配置する。
【０２１３】
（１．２）各サブバンドの電力を配分することにより、サブキャリア間隔が小さいサブバンドの各サブキャリアほど、配分された電力が小さくなり、またはサブキャリア間隔が大きいサブバンドの各サブキャリアほど、配分された電力が大きくなる。また、各サブバンドの配分電力とサブバンドの帯域幅とが比例関係にある。
【０２１４】
（２）ｎ＝３または４である場合、ＣＢ内に無線リソースを配置する時、以下のようなステップで行う。
【０２１５】
（２．１）全てのサブバンドのＢＷがいずれもｆ０−ｆ３よりも小さく、且ついずれもｆ４−ｆ０よりも小さい場合、
【０２１６】
ａ）ＴＢＣの最エッジの２つのサブバンドを配置し、ＴＢＣの最エッジの一方の辺に、サブキャリア間隔が最小となるサブバンドを配置し、ＴＢＣの最エッジの他方の辺に、サブキャリア間隔が最小から２番目であるサブバンドを配置する。
【０２１７】
ｂ）ＴＢＣの残りの位置のサブバンドを配置し、残りのサブバンドを残りのＴＢＣの周波数範囲内に配置することにより、周波数点ｆ０に最も近い箇所にサブキャリア間隔が最大となるサブバンドを配置する。
【０２１８】
ｃ）各サブバンドの電力を配分することにより、サブキャリア間隔が小さいサブバンドの各サブキャリアほど、配分された電力が小さくなり、またはサブキャリア間隔が大きいサブバンドの各サブキャリアほど、配分された電力が大きくなる。また、各サブバンドの配分電力とサブバンドの帯域幅とが比例関係にある。
【０２１９】
（２．２）全てのサブバンドのうち、１つのサブバンドのＢＷがｆ０−ｆ３またはｆ４−ｆ０に等しい場合、
【０２２０】
ａ）ＢＷがｆ０−ｆ３に等しいサブバンドを周波数点ｆ３から周波数点ｆ０までの周波数領域範囲内に配置し、またはＢＷがｆ４−ｆ０に等しいサブバンドを周波数点ｆ４から周波数点ｆ０までの周波数領域範囲内に配置する。
【０２２１】
ｂ）ＴＢＣの最エッジの残りの１辺のサブバンドを配置し、ＴＢＣの最エッジの残りの１辺に、残りのサブバンドのうちのサブキャリア間隔が最小となるサブバンドを配置する。
【０２２２】
ｃ）ＴＢＣの残りの位置のサブバンドを配置し、残りのサブバンドをサブキャリア間隔が単調に増加する順序で、残りのＴＢＣの周波数範囲内に配置する。周波数点ｆ３から周波数点ｆ０まで、または周波数点ｆ４から周波数点ｆ０までの残りの周波数範囲内に、全ての異なるサブバンドのサブキャリア間隔は単調に増加する。
【０２２３】
ｄ）各サブバンドの電力を配分することにより、サブキャリア間隔が小さいサブバンドの各サブキャリアほど、配分された電力が小さくなり、またはサブキャリア間隔が大きいサブバンドの各サブキャリアほど、配分された電力が大きくなる。また、各サブバンドの配分電力とサブバンドの帯域幅とが比例関係にある。
【０２２４】
上記配置ステップにおいて、全てのサブバンドの間は連続してもよく、連続しなくてもよい（すなわち、隣接するサブバンド間に一定のガードインターバルが存在する）。上記ステップにより全てのサブバンドの配置を完了した後、ｆ３−ｆ１＝ｆ２−ｆ４であれば、ＴＢＣの両辺のガードバンドは対称であり、そうでなければ、非対称である。
【０２２５】
実施例６
本実施例において、送信ノードのシングルキャリアのＣＢにおける全ての時間周波数リソースは、いずれもデータを送信する。
【０２２６】
本実施例において、ＴＢＣにｎ（ｎ＞４）個のサブバンドが含まれ、且つ、全てのサブバンドのうち、少なくとも２つのサブバンドにおけるサブキャリア間隔が同じであり、また、異なるサブバンドのサブキャリア間隔が全て等しいわけではないと仮定する。
【０２２７】
ＣＢ内に無線リソースを配置する時、以下のようなステップで行う。
【０２２８】
（１）全てのサブバンドのＢＷがいずれもｆ０−ｆ３よりも小さく、且ついずれもｆ４−ｆ０よりも小さい場合、
【０２２９】
ａ）ＴＢＣの最エッジの２つのサブバンドを配置する。
【０２３０】
ｉ．サブキャリア間隔が同じである複数のサブバンドのサブキャリア間隔が最小となる場合、
【０２３１】
これらのサブバンドのうち、複数のサブバンド帯域幅が等しく、且つ帯域幅が最小となれば、ＴＢＣの最エッジの両辺にこれらの帯域幅が等しいサブバンドのうちのいずれか１つのサブバンドを配置する。
【０２３２】
これらのサブバンドのうち、複数のサブバンド帯域幅が等しいが、帯域幅が最小とならなければ、ＴＢＣの最エッジの一方の辺に帯域幅が最小となるサブバンドを配置し、ＴＢＣの最エッジの他方の辺に帯域幅が最小から２番目であるサブバンドを配置する。
【０２３３】
これらのサブキャリア帯域幅がいずれも等しくなければ、ＴＢＣの最エッジの一方の辺に帯域幅が最小となるサブバンドを配置し、ＴＢＣの最エッジの他方の辺に帯域幅が最小から２番目であるサブバンドを配置する。
【０２３４】
これらのサブバンドの帯域幅が全て等しければ、ＴＢＣの最エッジの両辺に帯域幅が同じであるいずれか２つのサブバンドを配置する。
【０２３５】
ｉｉ．サブキャリア間隔が同じである複数のサブバンドのサブキャリア間隔が最小とならなければ、ＴＢＣの最エッジの一方の辺に、サブキャリア間隔が最小となるサブバンドを配置し、ＴＢＣの最エッジの他方の辺に、サブキャリア間隔が最小から２番目であるサブバンドを配置する。
【０２３６】
ｂ）ＣＢの中間に最も近い１つのサブバンドを配置する。
【０２３７】
ｉ．サブキャリア間隔が同じである複数のサブバンドのサブキャリア間隔が最大となる場合、
【０２３８】
これらのサブバンドのうち、複数のサブバンド帯域幅が等しく、且つ帯域幅が最大となれば、周波数点ｆ０箇所にこれらのサブバンドのうちのいずれか１つのサブバンドを配置する。
【０２３９】
これらのサブバンドのうち、複数のサブバンド帯域幅が等しいが、帯域幅が最大とならなければ、周波数点ｆ０箇所に帯域幅が最大となる１つのサブバンドを配置する。
【０２４０】
これらのサブキャリア帯域幅がいずれも等しくなければ、周波数点ｆ０箇所に帯域幅が最大となる１つのサブバンドを配置する。
【０２４１】
これらのサブバンドの帯域幅が全て等しければ、周波数点ｆ０箇所にこれらのサブバンドのうちのいずれか１つのサブバンドを配置する。
【０２４２】
ｉｉ．サブキャリア間隔が同じである複数のサブバンドのサブキャリア間隔が最大とならなければ、周波数点ｆ０箇所に帯域幅が最大となる１つのサブバンドを配置する。
【０２４３】
ｃ）ＴＢＣの残りの位置のサブバンドを配置し、残りのサブバンドをサブキャリア間隔が単調に増加する順序で、且つ同じサブキャリア間隔の異なるサブバンドを帯域幅が単調に増加する順序で、満杯になるまでそれぞれｆ０−ｆ３およびｆ４−ｆ０の残りの周波数領域帯域幅内に順次配置する。これにより、周波数点ｆ３から周波数点ｆ０まで、および周波数点ｆ４から周波数点ｆ０までの残りの周波数範囲内に、全ての異なるサブバンドのサブキャリア間隔は単調に増加し、且つ、同じサブキャリア間隔の異なるサブバンドの帯域幅は単調に増加する。
【０２４４】
ｄ）上記ステップを完了した後、各サブバンドの電力を配分することにより、同じサブキャリア間隔の異なるサブバンドにおける各サブキャリアに配分された電力が等しいとともに、サブキャリア間隔が小さいサブバンドの各サブキャリアほど、配分された電力が小さくなり、またはサブキャリア間隔が大きいサブバンドの各サブキャリアほど、配分された電力が大きくなる。また、各サブバンドの配分電力とサブバンドの帯域幅とが比例関係にある。
【０２４５】
（２）全てのサブバンドのうち、１つのサブバンドのＢＷがｆ０−ｆ３またはｆ４−ｆ０に等しい場合、
【０２４６】
ａ）ＢＷがｆ０−ｆ３に等しいサブバンドを周波数点ｆ３から周波数点ｆ０までの周波数領域範囲内に配置し、またはＢＷがｆ４−ｆ０に等しいサブバンドを周波数点ｆ４から周波数点ｆ０までの周波数領域範囲内に配置する。
【０２４７】
ｂ）ＴＢＣの最エッジの残りの１辺のサブバンドを配置する。
【０２４８】
ｉ．サブキャリア間隔が同じである複数のサブバンドのサブキャリア間隔が最小となる場合、
【０２４９】
これらのサブバンドのうち、複数のサブバンド帯域幅が等しく、且つ帯域幅が最小となれば、ＴＢＣの最エッジの残りの１辺にこれらの帯域幅が等しいサブバンドのうちのいずれか１つのサブバンドを配置する。
【０２５０】
これらのサブバンドのうち、複数のサブバンド帯域幅が等しいが、帯域幅が最小とならなければ、ＴＢＣの最エッジの残りの１辺に帯域幅が最小となるサブバンドを配置する。
【０２５１】
これらのサブキャリア帯域幅がいずれも等しくなければ、ＴＢＣの最エッジの残りの１辺に帯域幅が最小となるサブバンドを配置する。
【０２５２】
これらのサブバンドの帯域幅が全て等しければ、ＴＢＣの最エッジの残りの１辺にこれらの帯域幅が等しいサブバンドのうちのいずれか１つのサブバンドを配置する。
【０２５３】
ｉｉ．サブキャリア間隔が同じである複数のサブバンドのサブキャリア間隔が最小とならなければ、ＴＢＣの最エッジの残りの１辺にサブキャリア間隔が最小となるサブバンドを配置する。
【０２５４】
ｃ）ＴＢＣの残りの位置のサブバンドを配置し、残りのサブバンドをサブキャリア間隔が単調に増加する順序で、且つ同じサブキャリア間隔の異なるサブバンドを帯域幅が単調に増加する順序で、残りのＴＢＣの周波数範囲内に配置する。これにより、周波数点ｆ３から周波数点ｆ０まで、または周波数点ｆ４から周波数点ｆ０までの残りの周波数範囲内に、全ての異なるサブバンドのサブキャリア間隔は単調に増加し、且つ、同じサブキャリア間隔の異なるサブバンドの帯域幅は単調に増加する。
【０２５５】
ｄ）各サブバンドの電力を配分することにより、サブキャリア間隔が小さいサブバンドの各サブキャリアほど、配分された電力が小さくなり、またはサブキャリア間隔が大きいサブバンドの各サブキャリアほど、配分された電力が大きくなる。また、各サブバンドの配分電力とサブバンドの帯域幅とが比例関係にある。
【０２５６】
上記配置ステップにおいて、全てのサブバンドの間は連続してもよく、連続しなくてもよい（すなわち、隣接するサブバンド間に一定のガードインターバルが存在する）。上記ステップにより全てのサブバンドの配置を完了した後、ｆ３−ｆ１＝ｆ２−ｆ４であれば、ＴＢＣの両辺のガードバンドは対称であり、そうでなければ、非対称である。ＴＢＣの最エッジのサブバンドを配置する時、配置される２つのサブバンドとＴＢＣの最エッジとの対応関係については、具体的に要求しない。
【０２５７】
サブキャリアが同じであるサブバンドに４つのＳＢ（ＳＢ１〜ＳＢ４）があり、また、サブキャリア間隔が最小となり、すなわち、△ｆ１＝△ｆ２＝△ｆ３＝△ｆ４…＜△ｆｎであると仮定する。例として以下のとおりである。
【０２５８】
１）これらのサブバンドのうち、複数のサブバンド帯域幅が等しく、且つ帯域幅が最小となれば（例えば、ＢＷ１＝ＢＷ２＝ＢＷ３＜ＢＷ４）、周波数点ｆ３の直近および周波数点ｆ４の直近に、サブバンドＳＢ１、ＳＢ２、ＳＢ３という３つのサブバンドのうちのいずれか２つのサブバンドを配置する。
【０２５９】
２）これらのサブバンドの帯域幅がいずれも等しくなければ（例えば、ＢＷ１＜ＢＷ２＜ＢＷ３＜ＢＷ４）、周波数点ｆ３の直近にサブバンドＳＢ１を配置し、周波数点ｆ４の直近にサブバンドＳＢ２を配置し、または周波数点ｆ４の直近にサブバンドＳＢ１を配置し、周波数点ｆ３の直近にサブバンドＳＢ２を配置する。
【０２６０】
３）これらのサブバンドのうち、複数のサブバンド帯域幅が等しいが、帯域幅が最小とならなければ（例えば、ＢＷ１＜ＢＷ２＝ＢＷ３＜ＢＷ４）、周波数点ｆ３の直近にサブバンドＳＢ１を配置し、周波数点ｆ４の直近にサブバンドＳＢ２またはサブバンドＳＢ３を配置し、または周波数点ｆ４の直近にサブバンドＳＢ１を配置し、周波数点ｆ３の直近にサブバンドＳＢ２またはサブバンドＳＢ３を配置する。
【０２６１】
４）これらのサブバンドの帯域幅が全て等しければ（例えば、ＢＷ１＝ＢＷ２＝ＢＷ３＝ＢＷ４）、周波数点ｆ３の直近および周波数点ｆ４の直近に、４つのサブバンドのうちのいずれか２つのサブバンドを配置する。
【０２６２】
サブキャリア間隔が同じである複数のサブバンドは、そのサブキャリア間隔が最小とならないと仮定すれば、ＴＢＣの最エッジの一方の辺に、サブキャリア間隔が最小となるサブバンドを配置し、ＴＢＣの最エッジの他方の辺に、サブキャリア間隔が最小から２番目であるサブバンドを配置する。すなわち、ＴＢＣの最エッジに配置された２つのサブバンドのサブキャリア間隔は異なる。
【０２６３】
ＣＢの中間に最も近いサブバンドを配置する時、周波数点ｆ０箇所におけるサブキャリア間隔が最大となるサブバンドは、そのサブバンドの中心周波数点が周波数点ｆ０と重なってもよく、重ならなくてもよく、具体的な状況は実際の配置に応じて動的に調整することができるが、周波数点ｆ０は該サブバンドの周波数領域範囲内に含まれている。
【０２６４】
サブキャリアが同じであるサブバンドに４つのＳＢ（ＳＢｎ−３〜ＳＢｎ）があり、また、サブキャリア間隔が最大となり、すなわち、△ｆ１…＜△ｆｎ−３＝△ｆｎ−２＝△ｆｎ−１＝△ｆｎであると仮定する。例として以下のとおりである。
【０２６５】
１）これらのサブバンドのうち、複数のサブバンド帯域幅が等しく、且つ帯域幅が最大となれば（例えば、ＢＷｎ−３＜ＢＷｎ−２＝ＢＷｎ−１＝ＢＷｎ）、ＣＢの中間に、サブバンドＳＢｎ、ＳＢｎ−１、ＳＢｎ−２という３つのサブバンドのうちのいずれか１つのサブバンドを配置する。
【０２６６】
２）これらのサブバンドの帯域幅がいずれも等しくなければ（例えば、ＢＷｎ−３＜ＢＷｎ−２＜ＢＷｎ−１＜ＢＷｎ）、ＣＢの中間に、サブバンドＢＷｎを配置する。
【０２６７】
３）これらのサブバンドのうち、複数のサブバンド帯域幅が等しいが、帯域幅が最大とならなければ（例えば、ＢＷｎ−３＜ＢＷｎ−２＝ＢＷｎ−１＜ＢＷｎ）、ＣＢの中間に、サブバンドＢＷｎを配置する。
【０２６８】
４）これらのサブバンドの帯域幅が全て等しければ（例えば、ＢＷｎ−３＝ＢＷｎ−２＝ＢＷｎ−１＝ＢＷｎ）、ＣＢの中間に、この４つのサブバンドのうちのいずれか１つのサブバンドを配置する。
【０２６９】
サブキャリア間隔が同じである複数のサブバンドは、そのサブキャリア間隔が最大とならないと仮定すれば、ＣＢの中間に、サブキャリア間隔が最大となるサブバンドを配置する。
【０２７０】
ＴＢＣの残りの位置のサブバンドを配置し、残りのサブバンドに対し、どのサブバンドがｆ０−ｆ３またはｆ４−ｆ０の残りの周波数領域帯域幅内に配置されるかについても、具体的に要求しない。すなわち、これらの残りのサブバンドは、いずれか１つのサブバンドもｆ０−ｆ３またはｆ４−ｆ０の残りの周波数領域帯域幅内に配置され得る。
【０２７１】
上記ステップにより全てのサブバンドの配置を完了し、ＴＢＣにおいて、全てのサブバンドは連続し配置されてもよく、連続せずに配置されてもよい（すなわち、隣接するサブバンド間に一定のガードインターバルが存在する）。全てのサブバンドを配置した後、ｆ３−ｆ１＝ｆ２−ｆ４であれば、ＴＢＣの両辺のガードバンドは対称であり、そうでなければ、非対称である。
【０２７２】
例えば、
ＴＢＣにｎ個の（ｎ＞４）サブバンドＳＢが含まれ、サブキャリア間隔がそれぞれ△ｆ１、△ｆ２、△ｆ３、△ｆ４、…、△ｆｉ、△ｆｉ＋１、△ｆｉ＋２、△ｆｉ＋３、…△ｆｎ−３、△ｆｎ−２、△ｆｎ−１、△ｆｎであると仮定する。各サブキャリア間隔の関係は以下のとおりである。
【０２７３】
［式３］
△ｆ１＝△ｆ２＝△ｆ３＝△ｆ４＜…＜△ｆｉ＝△ｆｉ＋１＝△ｆｉ＋２＝△ｆｉ＋３＜…＜△ｆｎ−３＝△ｆｎ−２＝△ｆｎ−１＝△ｆｎ。
【０２７４】
全てのｎ個のサブバンドＳＢを、各サブキャリア間隔の対応関係に従って番号を付け、すなわち、ＳＢｉに対応するサブキャリア間隔は△ｆｉ、ｉ＝１、２、…ｎ−１、ｎである。
【０２７５】
各サブバンドの帯域幅は、それぞれＢＷ１、ＢＷ２、ＢＷ３、ＢＷ４、…、ＢＷｉ、ＢＷｉ＋１、ＢＷｉ＋２、ＢＷｉ＋３、…ＢＷｎ−３、ＢＷｎ−２、ＢＷｎ−１、ＢＷｎであり、全てのサブバンド帯域幅がいずれもｆ０−ｆ３よりも小さく、且つ、いずれもｆ４−ｆ０よりも小さい。各サブバンド帯域幅の関係は以下のとおりである。
【０２７６】
［式４］
ＢＷ１＜ＢＷ２＝ＢＷ３＜ＢＷ４＜…＜ＢＷｉ＝ＢＷｉ＋１＜ＢＷｉ＋２＝ＢＷｉ＋３＜…＜ＢＷｎ−３＜ＢＷｎ−２＝ＢＷｎ−１＝ＢＷｎ。
【０２７７】
各サブバンドに配分された電力は、それぞれＰ１、Ｐ２、…、Ｐｉ、Ｐｉ＋１、…Ｐｎ−１、Ｐｎである。各サブバンドにおける各サブキャリアに配分された電力は、それぞれｐ１、ｐ２、…、ｐｉ、ｐｉ＋１、…ｐｎ−１、ｐｎである。各サブバンドにおいて、サブキャリア間隔がいずれも等しいため、各サブバンドにおける各サブキャリア電力も等しい。
【０２７８】
この場合、本実施例におけるステップと方法に従い、
１．ＴＢＣの最エッジの２つのサブバンドを配置し、周波数点ｆ３の直近にサブバンドＳＢ１を配置し、周波数点ｆ４の直近にＳＢ２およびＳＢ３という２つのサブバンドのうちのいずれか１つのサブバンドを配置し、例えば、ＳＢ２を配置する。
２．ＣＢの中間の１つのサブバンドを配置し、ＣＢの中間に配置し、ＳＢｎ、ＳＢｎ−１およびＳＢｎ−２という３つのサブバンドのうちのいずれか１つのサブバンドを配置し、例えば、ＳＢｎを配置する。ここで、サブバンドＳＢｎの中心周波数点は、図９に示すようにＣＢの中心周波数点と重なってもよく、図１０に示すようにＣＢの中心周波数点と重ならなくてもよい。
３．ＴＢＣの残りの位置のサブバンドを配置し、周波数点ｆ３から周波数点ｆ０までの残りの周波数範囲内に、サブキャリア間隔が単調に増加する順序で、且つ同じサブキャリア間隔の異なるサブバンドを帯域幅が単調に増加する順序で、（ｘ−１）個のサブバンドを最終的に配置し、周波数点ｆ４から周波数点ｆ０までの残りの周波数範囲内に、サブキャリア間隔が単調に増加する順序で、且つ同じサブキャリア間隔の異なるサブバンドを帯域幅が単調に増加する順序で、（ｎ−ｘ−２）個のサブバンドを最終的に配置する。
【０２７９】
上記３ステップにより全てのサブバンドを配置し、図９および図１０に示すとおりである。周波数点ｆ３から周波数点ｆ０までの周波数範囲、および周波数点ｆ４から周波数点ｆ０までの周波数範囲内に、配置された全てのサブバンドのうち、異なるサブバンドのサブキャリア間隔は単調に増加し、また、同じサブキャリア間隔の異なるサブバンドの帯域幅は単調に増加する。すなわち、周波数点ｆ３から周波数点ｆ０までの周波数範囲において、△ｆ１＝△ｆ３…＜△ｆｉ＝△ｆｉ＋１＝△ｆｉ＋２＜…＜△ｆｎであり、ＢＷ１＜ＢＷ３＜…＜ＢＷｉ＝ＢＷｉ＋１＜ＢＷｉ＋２＜ＢＷｎ−１＝ＢＷｎである。
【０２８０】
周波数点ｆ４から周波数点ｆ０までの周波数範囲において、△ｆ２＝△ｆ４…＜△ｆｎ−３＝△ｆｎ−２＝△ｆｎであり、ＢＷ２＜ＢＷ４＜…＜ＢＷｎ−３＜ＢＷｎ−２＝ＢＷｎである。
【０２８１】
また、周波数点ｆ３から周波数点ｆ０までの周波数範囲、および周波数点ｆ４から周波数点ｆ０までの周波数範囲内に、配置された全てのサブバンドは連続して配置されてもよく、連続せずに配置されてもよい（すなわち、隣接するサブバンド間に一定のガードインターバルが存在する）。全てのサブバンドを配置した後、ｆ３−ｆ１＝ｆ２−ｆ４であれば、ＴＢＣの両辺のガードバンドは対称であり、そうでなければ、非対称である。
【０２８２】
ＴＢＣにおいて、全てのサブバンドを配置した後、サブキャリア電力およびサブバンドの電力を配分する。すなわち、周波数点ｆ３から周波数点ｆ０までの周波数範囲において、ｐ１＝ｐ３…＜ｐｉ＝ｐｉ＋１＝ｐｉ＋２＜…＜ｐｎ−１＝ｐｎであり、周波数点ｆ４から周波数点ｆ０までの周波数範囲において、ｐ２＝ｐ４…＜ｐｎ−３＝ｐｎ−２＝ｐｎである。また、全てのサブバンドにおける各サブキャリアの電力は、ｐ１＝ｐ２＝ｐ３＝ｐ４＜…＜ｐｉ＝ｐｉ＋１＝ｐｉ＋２＝ｐｉ＋３＜…＜ｐｎ−３＝ｐｎ−２＝ｐｎ−１＝ｐｎを満たす。各サブバンドに配分された電力ＰｎがサブバンドのＢＷｎに比例する。
【０２８３】
実施例７
本実施例において、送信ノードのシングルキャリアのＣＢにおける全ての時間周波数リソースは、いずれもデータを送信する。
【０２８４】
本実施例において、ＴＢＣにｎ（ｎ＞４）個のサブバンドが含まれ、且つ、全てのサブバンドのうち、少なくとも２つのサブバンドにおけるサブキャリア間隔が同じであり、また、異なるサブバンドのサブキャリア間隔が全て等しいわけではないと仮定する。
【０２８５】
ＣＢ内に無線リソースを配置する時、以下のようなステップで行う。
【０２８６】
（１）全てのサブバンドのＢＷがいずれもｆ０−ｆ３よりも小さく、且ついずれもｆ４−ｆ０よりも小さい場合、
【０２８７】
ａ）ＴＢＣの最エッジの２つのサブバンドを配置する。
【０２８８】
ｉ．サブキャリア間隔が同じである複数のサブバンドのサブキャリア間隔が最小となる場合、
【０２８９】
これらのサブバンドのうち、複数のサブバンド帯域幅が等しく、且つ帯域幅が最小となれば、ＴＢＣの最エッジの両辺にこれらの帯域幅が等しいサブバンドのうちのいずれか２つのサブバンドを配置する。
【０２９０】
これらのサブバンドのうち、複数のサブバンド帯域幅が等しいが、帯域幅が最小とならなければ、ＴＢＣの最エッジの一方の辺に帯域幅が最小となるサブバンドを配置し、ＴＢＣの最エッジの他方の辺に帯域幅が最小から２番目であるサブバンドを配置する。
【０２９１】
これらのサブキャリア帯域幅がいずれも等しくなければ、ＴＢＣの最エッジの一方の辺に帯域幅が最小となるサブバンドを配置し、ＴＢＣの最エッジの他方の辺に帯域幅が最小から２番目であるサブバンドを配置する。
【０２９２】
これらのサブバンドの帯域幅が全て等しければ、ＴＢＣの最エッジの両辺に帯域幅が同じであるいずれか２つのサブバンドを配置する。
【０２９３】
ｉｉ．サブキャリア間隔が同じである複数のサブバンドのサブキャリア間隔が最小とならなければ、ＴＢＣの最エッジの一方の辺に、サブキャリア間隔が最小となるサブバンドを配置し、ＴＢＣの最エッジの他方の辺に、サブキャリア間隔が最小から２番目であるサブバンドを配置する。
【０２９４】
ｂ）ＣＢの中間に最も近い２つのサブバンドを配置する。
【０２９５】
ｉ．サブキャリア間隔が同じである複数のサブバンドのサブキャリア間隔が最大となる場合、
【０２９６】
これらのサブバンドのうち、複数のサブバンド帯域幅が等しく、且つ帯域幅が最大となれば、周波数点ｆ０に最も近い両辺に帯域幅が最大となるいずれか２つのサブバンドを配置する。
【０２９７】
これらのサブバンドのうち、複数のサブバンド帯域幅が等しいが、帯域幅が最大とならなければ、周波数点ｆ０に最も近い一方の辺に帯域幅が最大となるサブバンドを配置し、周波数点ｆ０に最も近い他方の辺に帯域幅が最大から２番目であるサブバンドを配置する。
【０２９８】
これらのサブキャリア帯域幅がいずれも等しくなければ、周波数点ｆ０に最も近い一方の辺に帯域幅が最大となるサブバンドを配置し、周波数点ｆ０に最も近い他方の辺に帯域幅が最大から２番目であるサブバンドを配置する。
【０２９９】
これらのサブバンドの帯域幅が全て等しければ、周波数点ｆ０に最も近い両辺に帯域幅が同じであるいずれか２つのサブバンドを配置する。
【０３００】
ｉｉ．サブキャリア間隔が同じである複数のサブバンドのサブキャリア間隔が最大とならなければ、周波数点ｆ０に最も近い両辺の一方の辺に、サブキャリア間隔が最大となるサブバンドを配置し、周波数点ｆ０に最も近い両辺の他方の辺に、サブキャリア間隔が最大から２番目であるサブバンドを配置する。
【０３０１】
ｃ）ＴＢＣの残りの位置のサブバンドを配置し、残りのサブバンドをサブキャリア間隔が単調に増加する順序で、且つ同じサブキャリア間隔の異なるサブバンドを帯域幅が単調に増加する順序で、満杯になるまでそれぞれｆ０−ｆ３およびｆ４−ｆ０の残りの周波数領域帯域幅内に順次配置する。これにより、周波数点ｆ３から周波数点ｆ０まで、および周波数点ｆ４から周波数点ｆ０までの残りの周波数範囲内に、全ての異なるサブバンドのサブキャリア間隔は単調に増加し、且つ、同じサブキャリア間隔の異なるサブバンドの帯域幅は単調に増加する。
【０３０２】
ｄ）上記ステップを完了した後、各サブバンドの電力を配分することにより、同じサブキャリア間隔の異なるサブバンドにおける各サブキャリアに配分された電力が等しいとともに、サブキャリア間隔が小さいサブバンドの各サブキャリアほど、配分された電力が小さくなり、またはサブキャリア間隔が大きいサブバンドの各サブキャリアほど、配分された電力が大きくなる。また、各サブバンドの配分電力とサブバンドの帯域幅とが比例関係にある。
【０３０３】
（２）全てのサブバンドのうち、１つのサブバンドのＢＷがｆ０−ｆ３またはｆ４−ｆ０に等しい場合、
【０３０４】
ａ）ＢＷがｆ０−ｆ３に等しいサブバンドを周波数点ｆ３から周波数点ｆ０までの周波数領域範囲内に配置し、またはＢＷがｆ４−ｆ０に等しいサブバンドを周波数点ｆ４から周波数点ｆ０までの周波数領域範囲内に配置する。
【０３０５】
ｂ）ＴＢＣの最エッジの残りの１辺のサブバンドを配置する。
【０３０６】
ｉ．サブキャリア間隔が同じである複数のサブバンドのサブキャリア間隔が最小となる場合、
【０３０７】
これらのサブバンドのうち、複数のサブバンド帯域幅が等しく、且つ帯域幅が最小となれば、ＴＢＣの最エッジの残りの１辺にこれらの帯域幅が等しいサブバンドのうちのいずれか１つのサブバンドを配置する。
【０３０８】
これらのサブバンドのうち、複数のサブバンド帯域幅が等しいが、帯域幅が最小とならなければ、ＴＢＣの最エッジの残りの１辺に帯域幅が最小となるサブバンドを配置する。
【０３０９】
これらのサブキャリア帯域幅がいずれも等しくなければ、ＴＢＣの最エッジの残りの１辺に帯域幅が最小となるサブバンドを配置する。
【０３１０】
これらのサブバンドの帯域幅が全て等しければ、ＴＢＣの最エッジの残りの１辺にこれらの帯域幅が等しいサブバンドのうちのいずれか１つのサブバンドを配置する。
【０３１１】
ｉｉ．サブキャリア間隔が同じである複数のサブバンドのサブキャリア間隔が最小とならなければ、ＴＢＣの最エッジの残りの１辺にサブキャリア間隔が最小となるサブバンドを配置する。
【０３１２】
ｃ）ＴＢＣの残りの位置のサブバンドを配置し、残りのサブバンドをサブキャリア間隔が単調に増加する順序で、且つ同じサブキャリア間隔の異なるサブバンドを帯域幅が単調に増加する順序で、残りのＴＢＣの周波数範囲内に配置する。これにより、周波数点ｆ３から周波数点ｆ０まで、または周波数点ｆ４から周波数点ｆ０までの残りの周波数範囲内に、全ての異なるサブバンドのサブキャリア間隔は単調に増加し、且つ、同じサブキャリア間隔の異なるサブバンドの帯域幅は単調に増加する。
【０３１３】
ｄ）各サブバンドの電力を配分することにより、サブキャリア間隔が小さいサブバンドの各サブキャリアほど、配分された電力が小さくなり、またはサブキャリア間隔が大きいサブバンドの各サブキャリアほど、配分された電力が大きくなる。また、各サブバンドの配分電力とサブバンドの帯域幅とが比例関係にある。
【０３１４】
上記配置ステップにおいて、全てのサブバンドの間は連続してもよく、連続しなくてもよい（すなわち、隣接するサブバンド間に一定のガードインターバルが存在する）。上記ステップにより全てのサブバンドの配置を完了した後、ｆ３−ｆ１＝ｆ２−ｆ４であれば、ＴＢＣの両辺のガードバンドは対称であり、そうでなければ、非対称である。
【０３１５】
ＴＢＣの最エッジのサブバンドを配置する時、配置される２つのサブバンドとＴＢＣの最エッジとの対応関係については、具体的に要求しない。
【０３１６】
サブキャリアが同じであるサブバンドに４つのＳＢ（ＳＢ１〜ＳＢ４）があり、また、サブキャリア間隔が最小となり、すなわち、△ｆ１＝△ｆ２＝△ｆ３＝△ｆ４…＜△ｆｎであると仮定する。例として以下のとおりである。
【０３１７】
１）これらのサブバンドのうち、複数のサブバンド帯域幅が等しく、且つ帯域幅が最小となれば（例えば、ＢＷ１＝ＢＷ２＝ＢＷ３＜ＢＷ４）、周波数点ｆ３の直近および周波数点ｆ４の直近に、サブバンドＳＢ１、ＳＢ２、ＳＢ３という３つのサブバンドのうちのいずれか２つのサブバンドを配置する。
【０３１８】
２）これらのサブバンドの帯域幅がいずれも等しくなければ（例えば、ＢＷ１＜ＢＷ２＜ＢＷ３＜ＢＷ４）、周波数点ｆ３の直近にサブバンドＳＢ１を配置し、周波数点ｆ４の直近にサブバンドＳＢ２を配置し、または周波数点ｆ４の直近にサブバンドＳＢ１を配置し、周波数点ｆ３の直近にサブバンドＳＢ２を配置する。
【０３１９】
３）これらのサブバンドのうち、複数のサブバンド帯域幅が等しいが、帯域幅が最小とならなければ（例えば、ＢＷ１＜ＢＷ２＝ＢＷ３＜ＢＷ４）、周波数点ｆ３の直近にサブバンドＳＢ１を配置し、周波数点ｆ４の直近にサブバンドＳＢ２またはサブバンドＳＢ３を配置し、または周波数点ｆ４の直近にサブバンドＳＢ１を配置し、周波数点ｆ３の直近にサブバンドＳＢ２またはサブバンドＳＢ３を配置する。
【０３２０】
４）これらのサブバンドの帯域幅が全て等しければ（例えば、ＢＷ１＝ＢＷ２＝ＢＷ３＝ＢＷ４）、周波数点ｆ３の直近および周波数点ｆ４の直近に、４つのサブバンドのうちのいずれか２つのサブバンドを配置する。
【０３２１】
サブキャリア間隔が同じである複数のサブバンドは、そのサブキャリア間隔が最小とならないと仮定すれば、ＴＢＣの最エッジの一方の辺に、サブキャリア間隔が最小となるサブバンドを配置し、ＴＢＣの最エッジの他方の辺に、サブキャリア間隔が最小から２番目であるサブバンドを配置する。すなわち、ＴＢＣの最エッジに配置された２つのサブバンドのサブキャリア間隔は異なる。
【０３２２】
ＣＢの中間のサブバンドを配置する時、配置された２つのサブバンドとＣＢの中間位置との対応関係については、具体的に要求しない。
【０３２３】
サブキャリアが同じであるサブバンドに４つのＳＢ（ＳＢｎ−３〜ＳＢｎ）があり、また、サブキャリア間隔が最大となり、すなわち、△ｆ１…＜△ｆｎ−３＝△ｆｎ−２＝△ｆｎ−１＝△ｆｎであると仮定する。例として以下のとおりである。
【０３２４】
１）これらのサブバンドのうち、複数のサブバンド帯域幅が等しく、且つ帯域幅が最大となれば（例えば、ＢＷｎ−３＜ＢＷｎ−２＝ＢＷｎ−１＝ＢＷｎ）、周波数点ｆ０の両辺に、サブバンドＳＢｎ、ＳＢｎ−１、ＳＢｎ−２という３つのサブバンドのうちのいずれか２つのサブバンドを配置する。
【０３２５】
２）これらのサブバンドの帯域幅がいずれも等しくなければ（例えば、ＢＷｎ−３＜ＢＷｎ−２＜ＢＷｎ−１＜ＢＷｎ）、周波数点ｆ０の両辺の一方の辺にサブバンドＢＷｎを配置し、周波数点ｆ０の両辺の他方の辺にサブバンドＢＷｎ−１を配置する。
【０３２６】
３）これらのサブバンドのうち、複数のサブバンド帯域幅が等しいが、帯域幅が最大とならなければ（例えば、ＢＷｎ−３＜ＢＷｎ−２＝ＢＷｎ−１＜ＢＷｎ）、周波数点ｆ０の両辺の左辺にサブバンドＢＷｎを配置し、周波数点ｆ０の右辺にサブバンドＢＷｎ−１またはＢＷｎ−２を配置し、または周波数点ｆ０の両辺の左辺にサブバンドＢＷｎ−１またはＢＷｎ−２を配置し、周波数点ｆ０の右辺にサブバンドＢＷｎを配置する。
【０３２７】
４）これらのサブバンドの帯域幅が全て等しければ（例えば、ＢＷｎ−３＝ＢＷｎ−２＝ＢＷｎ−１＝ＢＷｎ）、周波数点ｆ０の両辺に４つのサブバンドのうちのいずれか２つのサブバンドを配置する。
【０３２８】
サブキャリア間隔が同じである複数のサブバンドは、そのサブキャリア間隔が最大とならないと仮定すれば、周波数点ｆ０の両辺の一方の辺に、サブキャリア間隔が最大となるサブバンドを配置し、周波数点ｆ０の両辺の他方の辺に、サブキャリア間隔が最大から２番目であるサブバンドを配置する。すなわち、周波数点ｆ０の両辺に配置された２つのサブバンドのサブキャリア間隔は異なる。
【０３２９】
ＴＢＣの残りの位置のサブバンドを配置し、残りのサブバンドに対し、どのサブバンドがｆ０−ｆ３またはｆ４−ｆ０の残りの周波数領域帯域幅内に配置されるかについても、具体的に要求しない。すなわち、これらの残りのサブバンドは、いずれか１つのサブバンドもｆ０−ｆ３またはｆ４−ｆ０の残りの周波数領域帯域幅内に配置され得る。
【０３３０】
例えば、
ＴＢＣにｎ個の（ｎ＞４）サブバンドＳＢが含まれ、サブキャリア間隔がそれぞれ△ｆ１、△ｆ２、△ｆ３、△ｆ４、…、△ｆｉ、△ｆｉ＋１、△ｆｉ＋２、△ｆｉ＋３、…△ｆｎ−３、△ｆｎ−２、△ｆｎ−１、△ｆｎであると仮定する。各サブキャリア間隔の関係は以下のとおりである。
【０３３１】
［式５］
△ｆ１＝△ｆ２＝△ｆ３＝△ｆ４＜…＜△ｆｉ＝△ｆｉ＋１＝△ｆｉ＋２＝△ｆｉ＋３＜…＜△ｆｎ−３＝△ｆｎ−２＝△ｆｎ−１＝△ｆｎ。
【０３３２】
全てのｎ個のサブバンドＳＢを、各サブキャリア間隔の対応関係に従って番号を付け、すなわち、ＳＢｉに対応するサブキャリア間隔は△ｆｉ、ｉ＝１、２、…ｎ−１、ｎである。
【０３３３】
各サブバンドの帯域幅は、それぞれＢＷ１、ＢＷ２、ＢＷ３、ＢＷ４、…、ＢＷｉ、ＢＷｉ＋１、ＢＷｉ＋２、ＢＷｉ＋３、…ＢＷｎ−３、ＢＷｎ−２、ＢＷｎ−１、ＢＷｎであり、全てのサブバンド帯域幅がいずれもｆ０−ｆ３よりも小さく、且ついずれもｆ４−ｆ０よりも小さい。各サブバンド帯域幅の関係は以下のとおりである。
【０３３４】
［式６］
ＢＷ１＜ＢＷ２＝ＢＷ３＜ＢＷ４＜…＜ＢＷｉ＝ＢＷｉ＋１＜ＢＷｉ＋２＝ＢＷｉ＋３＜…＜ＢＷｎ−３＜ＢＷｎ−２＝ＢＷｎ−１＜ＢＷｎ。
【０３３５】
各サブバンドに配分された電力は、それぞれＰ１、Ｐ２、…、Ｐｉ、Ｐｉ＋１、…Ｐｎ−１、Ｐｎである。各サブバンドにおける各サブキャリアに配分された電力は、それぞれｐ１、ｐ２、…、ｐｉ、ｐｉ＋１、…ｐｎ−１、ｐｎである。各サブバンドにおいて、サブキャリア間隔がいずれも等しいため、各サブバンドにおける各サブキャリア電力も等しい。
【０３３６】
この場合、本実施例におけるステップと方法に従い、
１．ＴＢＣの最エッジの２つのサブバンドを配置し、周波数点ｆ３の直近にサブバンドＳＢ１を配置し、周波数点ｆ４の直近にＳＢ２およびＳＢ３という２つのサブバンドのうちのいずれか１つのサブバンドを配置し、例えば、ＳＢ２を配置する。
２．ＣＢの中間の２つのサブバンドを配置し、周波数点ｆ０の直近の左辺にＳＢｎを配置し、周波数点ｆ０の直近の右辺にＳＢｎ−２およびＳＢｎ−１という２つのサブバンドのうちのいずれか１つのサブバンドを配置し、例えば、ＳＢｎ−１を配置する。
【０３３７】
３．ＴＢＣの残りの位置のサブバンドを配置し、周波数点ｆ３から周波数点ｆ０までの残りの周波数範囲内に、サブキャリア間隔が単調に増加する順序で、且つ同じサブキャリア間隔の異なるサブバンドを帯域幅が単調に増加する順序で、（ｘ−２）個のサブバンドを最終的に配置し、周波数点ｆ４から周波数点ｆ０までの残りの周波数範囲内に、サブキャリア間隔が単調に増加する順序で、且つ同じサブキャリア間隔の異なるサブバンドを帯域幅が単調に増加する順序で、（ｎ−ｘ−２）個のサブバンドを最終的に配置する。
【０３３８】
上記３ステップにより全てのサブバンドを配置し、図１１に示すとおりである。周波数点ｆ３から周波数点ｆ０までの周波数範囲、および周波数点ｆ４から周波数点ｆ０までの周波数範囲内に、配置された全てのサブバンドのうち、異なるサブバンドのサブキャリア間隔は単調に増加し、また、同じサブキャリア間隔の異なるサブバンドの帯域幅は単調に増加する。すなわち、周波数点ｆ３から周波数点ｆ０までの周波数範囲において、下記のとおりである。
［式７］
△ｆ１＝△ｆ３…＜△ｆｉ＝△ｆｉ＋１＝△ｆｉ＋２＜…＜△ｆｎ−１
［式８］
ＢＷ１＜ＢＷ３＜…＜ＢＷｉ＝ＢＷｉ＋１＜ＢＷｉ＋２＜ＢＷｎ−１
【０３３９】
周波数点ｆ４から周波数点ｆ０までの周波数範囲において、下記のとおりである。
［式９］
△ｆ２＝△ｆ４…＜△ｆｎ−３＝△ｆｎ−２＝△ｆｎ
［式１０］
ＢＷ２＜ＢＷ４＜…＜ＢＷｎ−３＜ＢＷｎ−２＜ＢＷｎ
【０３４０】
また、周波数点ｆ３から周波数点ｆ０までの周波数範囲、および周波数点ｆ４から周波数点ｆ０までの周波数範囲内に、配置された全てのサブバンドは連続して配置されてもよく、連続せずに配置されてもよい（すなわち、隣接するサブバンド間に一定のガードインターバルが存在する）。全てのサブバンドを配置した後、ｆ３−ｆ１＝ｆ２−ｆ４であれば、ＴＢＣの両辺のガードバンドは対称であり、そうでなければ、非対称である。
【０３４１】
ＴＢＣにおいて、全てのサブバンドを配置した後、サブキャリア電力およびサブバンドの電力を配分する。すなわち、周波数点ｆ３から周波数点ｆ０までの周波数範囲において、ｐ１＝ｐ３…＜ｐｉ＝ｐｉ＋１＝ｐｉ＋２＜…＜ｐｎ−１であり、周波数点ｆ４から周波数点ｆ０までの周波数範囲において、ｐ２＝ｐ４…＜ｐｎ−３＝ｐｎ−２＝ｐｎである。また、全てのサブバンドのうちの各サブキャリアの電力は、ｐ１＝ｐ２＝ｐ３＝ｐ４＜…＜ｐｉ＝ｐｉ＋１＝ｐｉ＋２＝ｐｉ＋３＜…＜ｐｎ−３＝ｐｎ−２＝ｐｎ−１＝ｐｎを満たす。各サブバンドに配分された電力ＰｎがサブバンドのＢＷｎに比例する。
【０３４２】
実施例８
本実施例において、実施例６および実施例７におけるｎ≦４の場合について補足説明する。
【０３４３】
本実施例において、ＴＢＣにｎ個のサブバンドが含まれ、且つ、全てのサブバンドのうち、少なくとも２つのサブバンドにおけるサブキャリア間隔が同じであり、また、異なるサブバンドのサブキャリア間隔が全て等しいわけではないと仮定する。
【０３４４】
（１）ｎ＝２である場合、ＣＢ内に無線リソースを配置する時、以下のようなステップで行う。
【０３４５】
（１．１）この２つのサブバンドを、それぞれ周波数点ｆ３から周波数点ｆ０まで、および周波数点ｆ４から周波数点ｆ０までの周波数領域範囲内に配置する。
【０３４６】
（１．２）各サブバンドの電力を配分することにより、各サブバンドにおける各サブキャリアに配分された電力は等しくなる。また、各サブバンドの配分電力とサブバンドの帯域幅とが比例関係にある。
【０３４７】
（２）ｎ＝３または４である場合、ＣＢ内に無線リソースを配置する時、以下のようなステップで行う。
【０３４８】
（２．１）全てのサブバンドのＢＷがいずれもｆ０−ｆ３よりも小さく、且ついずれもｆ４−ｆ０よりも小さい場合、
【０３４９】
ａ）ＴＢＣの最エッジの２つのサブバンドを配置する。
【０３５０】
ｉ．サブキャリア間隔が同じである複数のサブバンドのサブキャリア間隔が最小となる場合、
【０３５１】
これらのサブバンドのうち、複数のサブバンド帯域幅が等しく、且つ帯域幅が最小となれば、ＴＢＣの最エッジの両辺にこれらの帯域幅が等しいサブバンドのうちのいずれか２つのサブバンドを配置する。
【０３５２】
これらのサブバンドのうち、複数のサブバンド帯域幅が等しいが、帯域幅が最小とならなければ、ＴＢＣの最エッジの一方の辺に帯域幅が最小となるサブバンドを配置し、ＴＢＣの最エッジの他方の辺にこれらの帯域幅が等しいサブバンドのうちのいずれか１つのサブバンドを配置する。
【０３５３】
これらのサブキャリア帯域幅がいずれも等しくなければ、ＴＢＣの最エッジの一方の辺に帯域幅が最小となるサブバンドを配置し、ＴＢＣの最エッジの他方の辺に帯域幅が最小から２番目であるサブバンドを配置する。
【０３５４】
これらのサブバンドの帯域幅が全て等しければ、ＴＢＣの最エッジの両辺にこれらの帯域幅が等しいサブバンドのうちのいずれか２つのサブバンドを配置する。
【０３５５】
ｉｉ．サブキャリア間隔が同じである複数のサブバンドのサブキャリア間隔が最小とならなければ、ＴＢＣの最エッジの一方の辺に、サブキャリア間隔が最小となるサブバンドを配置し、ＴＢＣの最エッジの他方の辺に、サブキャリア間隔が最小から２番目であるサブバンドを配置する。
【０３５６】
ｂ）ＴＢＣの残りの位置のサブバンドを配置し、残りのサブバンドを残りのＴＢＣの周波数範囲内に配置する。
【０３５７】
ｃ）各サブバンドの電力を配分することにより、サブキャリア間隔が小さいサブバンドの各サブキャリアほど、配分された電力が小さくなり、またはサブキャリア間隔が大きいサブバンドの各サブキャリアほど、配分された電力が大きくなる。また、各サブバンドの配分電力とサブバンドの帯域幅とが比例関係にある。
【０３５８】
（３）全てのサブバンドのうち、１つのサブバンドのＢＷがｆ０−ｆ３またはｆ４−ｆ０に等しい場合、
【０３５９】
ａ）ＢＷがｆ０−ｆ３に等しいサブバンドを周波数点ｆ３から周波数点ｆ０までの周波数領域範囲内に配置し、またはＢＷがｆ４−ｆ０に等しいサブバンドを周波数点ｆ４から周波数点ｆ０までの周波数領域範囲内に配置する。
【０３６０】
ｂ）ＴＢＣの最エッジの残りの１辺のサブバンドを配置する。
【０３６１】
ｉ．サブキャリア間隔が同じである複数のサブバンドのサブキャリア間隔が最小となる場合、
【０３６２】
これらのサブバンドのうち、複数のサブバンド帯域幅が等しく、且つ帯域幅が最小となれば、ＴＢＣの最エッジの残りの１辺にこれらの帯域幅が等しいサブバンドのうちのいずれか１つのサブバンドを配置する。
【０３６３】
これらのサブバンドのうち、複数のサブバンド帯域幅が等しいが、帯域幅が最小とならなければ、ＴＢＣの最エッジの残りの１辺に帯域幅が最小となるサブバンドを配置する。
【０３６４】
これらのサブキャリア帯域幅がいずれも等しくなければ、ＴＢＣの最エッジの残りの１辺に帯域幅が最小となるサブバンドを配置する。
【０３６５】
これらのサブバンドの帯域幅が全て等しければ、ＴＢＣの最エッジの残りの１辺にこれらの帯域幅が等しいサブバンドのうちのいずれか１つのサブバンドを配置する。
【０３６６】
ｉｉ．サブキャリア間隔が同じである複数のサブバンドのサブキャリア間隔が最小とならなければ、ＴＢＣの最エッジの残りの１辺にサブキャリア間隔が最小となるサブバンドを配置する。
【０３６７】
ｃ）ＴＢＣの残りの位置のサブバンドを配置し、残りのサブバンドをサブキャリア間隔が単調に増加する順序で、且つ同じサブキャリア間隔の異なるサブバンドを帯域幅が単調に増加する順序で、残りのＴＢＣの周波数範囲内に配置する。これにより、周波数点ｆ３から周波数点ｆ０まで、または周波数点ｆ４から周波数点ｆ０までの残りの周波数範囲内に、全ての異なるサブバンドのサブキャリア間隔は単調に増加し、且つ、同じサブキャリア間隔の異なるサブバンドの帯域幅は単調に増加する。
【０３６８】
ｄ）各サブバンドの電力を配分することにより、サブキャリア間隔が小さいサブバンドの各サブキャリアほど、配分された電力が小さくなり、またはサブキャリア間隔が大きいサブバンドの各サブキャリアほど、配分された電力が大きくなる。また、各サブバンドの配分電力とサブバンドの帯域幅とが比例関係にある。
【０３６９】
以上により、本発明は、異なる無線リソース配置および電力配分により帯域外漏洩が異なることを考慮した上、サブキャリア間隔が異なる無線リソースおよびその電力を配分する技術案を提案し、これにより、キャリアのチャネル帯域外の帯域外漏洩をできるだけ小さくし、このように、帯域外漏洩への要求を満たすことができるとともに、スペクトルリソース利用率を向上させ、システムの性能を高めることができ、更に、デバイスに対するシステムへの要求を低減することもできる。
【０３７０】
本発明の別の実施例によれば、記憶媒体（該記憶媒体は、ＲＯＭ、ＲＡＭ、ハードディスク、リムーバブルメモリ等であってもよい）を更に提供し、該記憶媒体には、無線リソース配置を行うためのコンピュータプログラムが埋め込まれ、該コンピュータプログラムは、チャネル帯域幅内に各サブバンドを配置し、サブキャリア間隔が最小となる複数のサブバンドのうちのいずれか１つのサブバンドを伝送帯域幅構成の最エッジ位置に配置するというステップを実行するように配置されるコードセグメントを有する。
【０３７１】
本発明の実施例は、記憶媒体（該記憶媒体は、ＲＯＭ、ＲＡＭ、ハードディスク、リムーバブルメモリ等であってもよい）を更に提供し、該記憶媒体には、電力配分を行うためのコンピュータプログラムが埋め込まれ、該コンピュータプログラムは、チャネル帯域幅内の各サブバンドの電力を配分し、サブキャリア間隔が小さいサブバンドの各サブキャリアほど、小さい電力を配分し、サブキャリア間隔が大きいサブバンドの各サブキャリアほど、大きい電力を配分するというステップを実行するように配置されるコードセグメントを有する。
【０３７２】
本発明の実施例は、コンピュータプログラムを更に提供し、該コンピュータプログラムは、チャネル帯域幅内に各サブバンドを配置し、サブキャリア間隔が最小となる複数のサブバンドのうちのいずれか１つのサブバンドを伝送帯域幅構成の最エッジ位置に配置するという無線リソース配置のステップを実行するように配置されるコードセグメントを有する。
【０３７３】
本発明の実施例、コンピュータプログラムを更に提供し、該コンピュータプログラムは、チャネル帯域幅内の各サブバンドの電力を配分し、サブキャリア間隔が小さいサブバンドの各サブキャリアほど、小さい電力を配分し、サブキャリア間隔が大きいサブバンドの各サブキャリアほど、大きい電力を配分するという電力配分のステップを実行するように配置されるコードセグメントを有する。
【０３７４】
ソフトウェアおよび／またはファームウェアにより本発明の実施例を実現する場合、記憶媒体またはネットワークから、図１２に示す汎用コンピュータ１２００のような専用のハードウェア構成を有するコンピュータに、該ソフトウェアを構成するプログラムをインストールし、該コンピュータは、様々なプログラムがインストールされる場合、様々な機能等を実行することができる。
【０３７５】
図１２において、中央処理装置（ＣＰＵ、Ｃｅｎｔｒａｌ  Ｐｒｏｃｅｓｓｉｎｇ  Ｕｎｉｔ）１２０１は、読み出し専用メモリ（ＲＯＭ、Ｒｅａｄ−Ｏｎｌｙ  Ｍｅｍｏｒｙ）１２０２に記憶されたプログラム、または記憶部分１２０８からランダムアクセスメモリ（ＲＡＭ、Ｒａｎｄｏｍ−Ａｃｃｅｓｓ  Ｍｅｍｏｒｙ）１２０３にロードされたプログラムに基づき、各種の処理を実行する。ＲＡＭ１２０３においても、必要に応じてＣＰＵ１２０１が各種の処理等を実行する際に必要なデータを記憶する。ＣＰＵ１２０１、ＲＯＭ１２０２およびＲＡＭ１２０３は、バス１２０４を介して互いに接続されている。入力／出力インタフェース１２０５もバス１２０４に接続されている。
【０３７６】
キーボード、マウス等を含む入力部分１２０６と、陰極線管（ＣＲＴ、Ｃａｔｈｏｄｅ−Ｒａｙ−Ｔｕｂｅ）、液晶ディスプレイ（ＬＣＤ、Ｌｉｑｕｉｄ  Ｃｒｙｓｔａｌ  Ｄｉｓｐｌａｙ）等のようなディスプレイおよびスピーカ等を含む出力部分１２０７と、ハードディスク等を含む記憶部分１２０８と、ＬＡＮカード、モデム等のようなネットワークインタフェースカードを含む通信部分１２０９という部材が入力／出力インタフェース１２０５に接続されている。通信部分１２０９は、インターネットのようなネットワークを介して通信処理を実行する。
【０３７７】
必要に応じ、ドライバ１２１０も入力／出力インタフェース１２０５に接続されている。磁気ディスク、光ディスク、光磁気ディスク、半導体メモリ等のようなリムーバブルメディア１２１１が必要に応じてドライバ１２１０にインストールされるため、それから読み出されたコンピュータプログラムは必要に応じて記憶部分１２０８にインストールされる。
【０３７８】
ソフトウェアにより上記一連の処理を実現する場合、インターネットのようなネットワーク、またはリムーバブルメディア１２１１のような記憶媒体から、ソフトウェアを構成するプログラムをインストールする。
【０３７９】
当業者であれば、このような記憶媒体が、図１２に示すプログラムが記憶され、ユーザにプログラムを提供するように装置と分離して配送するリムーバブルメディア１２１１に限定されないことを理解すべきである。リムーバブルメディア１２１１の例は、磁気ディスク（フロッピーディスク（登録商標）を含む）、光ディスク（光ディスク読み出し専用メモリ（ＣＤ−ＲＯＭ）およびデジタルバーサタイルディスク（ＤＶＤ）を含む）、光磁気ディスク（ミニディスク（ＭＤ）（登録商標）を含む）、および半導体メモリを含む。または、記憶媒体は、ＲＯＭ１２０２、記憶部分１２０８に含まれたハードディスク等であってもよく、その中にプログラムが記憶され、また、それらを含む装置とともにユーザに配送される。
【０３８０】
なお、本発明の装置および方法において、もちろん、各部材または各ステップは、分解および／または再構成されるものであってもよい。これらの分解および／または再構成は、本発明の均等物と見なされるべきである。また、上記一連の処理のステップの実行は、説明の順序で時間順序に従って自然的に実行してもよいが、必ずしも時間順序に従って実行する必要があるわけではない。いくつかのステップは、並行してまたは互いに独立して実行されてもよい。
【０３８１】
本発明およびその利点について既に詳細に説明したが、特許請求の範囲により限定される本発明の精神および範囲から逸脱しない場合、様々な変更、置換および変換が可能であることを理解すべきである。更に、本発明の「備える」、「含む」という用語、またはそれらの任意の他の変形は、非排他的な包含を含むことを意図し、これにより、一連の要素を含むプロセス、方法、物品または装置は、それらの要素を含むだけでなく、更に、明確に列挙されていない他の要素も含み、または、このようなプロセス、方法、物品または装置のために固有される要素を更に含む。これ以上の限定がない限り、「１つの……を含む」という文により限定される要素は、前記要素を含むプロセス、方法、物品または装置に他の同じ要素が更に存在することを排除するものではない。
【０３８２】
具体的な実施形態の説明により、本発明が所定の目的を達成するために用いられる技術的手段および効果を、更に深めて具体的に理解することができるはずであるが、添付の図面は、参照および説明を提供するものに過ぎず、本発明を限定するものではない。
【産業上の利用可能性】
【０３８３】
本発明の実施例において、チャネル帯域幅内に各サブバンドを配置し、サブキャリア間隔が最小となる複数のサブバンドのうちのいずれか１つのサブバンドを伝送帯域幅構成の最エッジ位置に配置する。送信ノードキャリアのチャネル帯域幅内のサブバンドを配置する時、伝送帯域幅構成の最エッジに配置されたサブバンドのサブキャリア間隔を最小にする。サブキャリア間隔が小さいサブバンドほど、周波数領域における帯域外減衰が速くなるため、キャリア全体のチャネル帯域外の帯域外漏洩を低減することができ、大きなガードバンドの配置を回避し、スペクトルリソース利用率を効果的に向上させることができ、更に、無線周波数デバイスに対する要求を低減し、コストを削減することができる。送信ノードキャリアのチャネル帯域幅内の各サブバンドの電力を配分することにより、サブキャリア間隔が小さいサブバンドの各サブキャリアほど、配分された電力が小さくなり、または、サブキャリア間隔が大きいサブバンドの各サブキャリアほど、配分された電力が大きくなる。サブキャリア間隔が小さければ小さいほど、サブキャリア時間領域の長さが長く、時間領域における電力蓄積の時間が長いことを意味するため、電力を配分する時、割り当てられる電力は小さくなり、サブキャリア間隔が大きければ大きいほど、サブキャリア時間領域の長さが短く、時間領域における電力蓄積の時間が短いことを意味するため、電力を配分する時、割り当てられる電力は大きくなる。このように、一方で各リソースエレメント（ＲＥ、Ｒｅｓｏｕｒｃｅ  Ｅｌｅｍｅｎｔ）における電力を一定に保持することを確保でき、他方で帯域外漏洩を低減することもできる。
【図１】
0006956201.tif 000002
【図２】
0006956201.tif 000003
【図３】
0006956201.tif 000004
【図４】
0006956201.tif 000005
【図５】
0006956201.tif 000006
【図６】
0006956201.tif 000007
【図７】
0006956201.tif 000008
【図８】
0006956201.tif 000009
【図９】
0006956201.tif 000010
【図１０】
0006956201.tif 000011
【図１１】
0006956201.tif 000012
【図１２】
0006956201.tif 000013